(57)【要約】  本発明は、容器又は他の処理設備の表面上に位置する、腸溶錠コーティングとして有用なアクリルベースポリマー材料を除去するための洗浄組成物になりうる、ジエチレングリコールモノブチルエーテルと水とを含む、液体洗浄組成物に関する。【選択図】なし【特許請求の範囲】
【請求項１】
アクリルベースポリマー材料を除去するための液体洗浄組成物であって：
−ジエチレングリコールモノブチルエーテルと；
−水と；
を含む、液体洗浄組成物。
【請求項２】
−ジエチレングリコールモノブチルエーテルと、
−少なくとも一つのＣ２〜Ｃ１０有機酸と、
−水と
を含む、請求項１に記載の洗浄組成物。
【請求項３】
ａ）前記ジエチレングリコールモノブチルエーテルと、ｂ）Ｃ２〜Ｃ８有機酸、好ましくはクエン酸との質量％比は、前記洗浄組成物の合計質量に基づいて、約１５０：１〜約３０：１、好ましくは約１００：１〜約４０：１、より好ましくは約９５：１〜約６０：１、更に好ましくは約９０：１〜約７０：１、最も好ましくは約８５：１〜約８０：１である、請求項１又は２に記載の洗浄組成物。
【請求項４】
−ジエチレングリコールモノブチルエーテルと、
−少なくとも一つのＣ２〜Ｃ１０有機酸、好ましくはクエン酸と、
−少なくとも一つの非イオン性界面活性剤、好ましくは１０個のＥＯ単位を有するＣ１２〜Ｃ１４脂肪族アルコールエトキシレートＣ４−アルキルエーテル、最も好ましくは約１０個のＥＯ単位を有するラウリル脂肪族アルコールエトキシブチルエーテルと、
−任意の少なくとも一つの封鎖剤、好ましくはテトラナトリウムＮ，Ｎ−ビス（カルボキシレート−メチル）−Ｌ−グルタメート（ＧＬＤＡ）と
−任意の少なくとも一つの腐食防止剤、好ましくは少なくとも一つのベンゾトリアゾール、及び最も好ましくは少なくとも一つのリン酸二水素メチル及び／又はメチル−１Ｈ−ベンゾトリアゾールと；
−水と
を含む、請求項１〜３のいずれか一項に記載の洗浄組成物。
【請求項５】
Ｃ２〜Ｃ１０有機酸が、酢酸、プロピオン酸、イソプロピオン酸、ブタン酸、ペンタン酸、ヘキサン酸、ヘプタン酸、オクタン酸、ノナン酸、デカン酸、グリコール酸、クエン酸、乳酸、酒石酸、フマル酸、リンゴ酸、イタコン酸、アスコルビン酸、安息香酸、サリチル酸、及び／又はコハク酸を含む群から選択され、より好ましくはクエン酸である、請求項１〜４のいずれか一項に記載の洗浄組成物。
【請求項６】
界面活性剤、好ましくは非イオン性界面活性剤を更に含み、前記非イオン性界面活性剤は、
（ｉ）約１〜約８モルのエチレンオキシド単位と、８モルのプロピレンオキシド単位とを有する、Ｃ１２〜１８アルキルポリエチレングリコールポリプロピレングリコールエーテル、
（ｉｉ）約１〜約８モルのエチレンオキシド単位と、８モルのブチレンオキシド単位とを有する、Ｃ１２〜１８アルキルポリエチレンポリブチレングリコールエーテル、
（ｉｉｉ）末端封鎖したアルキルポリアルキレングリコール混合エーテル、
（ｉｖ）約１〜約４の重合度を有するＣ８〜１４アルキルポリグルコシド、
（ｖ）約３〜約８個のエチレンオキシド単位を有する、Ｃ１２〜１４アルキルポリエチレングリコール、
（ｖｉ）グルカミド、
（ｖｉｉ）ヒドロキシ混合エーテル、
（ｖｉｉｉ）脂肪族アルコールアルコキシレート、
（ｉｘ）より好ましくは、約３〜約１５個のエチレンオキシド単位及び／又はプロピレンオキシド単位、好ましくは約５〜約１０個のエチレンオキシド単位及び／又はプロピレンオキシド単位を有する、Ｃ８〜Ｃ１８脂肪族アルコールアルコキシレートＣ２〜Ｃ６アルキルエーテル、
（ｘ）最も好ましくは、Ｃ８〜Ｃ１８脂肪族アルコールＣ２〜Ｃ１０アルキルポリグリコシド、及びその混合物、約１０個のＥＯ単位を有するラウリル脂肪族アルコールエトキシブチルエーテル
からなる群から選択される、請求項１〜５のいずれか一項に記載の洗浄組成物。
【請求項７】
グルコン酸ナトリウム、ジエチレントリアミン五酢酸（ＤＴＰＡ）のペンタナトリウム塩、グルコヘプトン酸ナトリウム、エチレンジアミン四酢酸（ＥＤＴＡ）の塩、エチレンジアミン四酢酸の塩、ヒドロキシエチルエチレンジアミン三酢酸の塩、ヒドロキシエチルエチレンジアミン三酢酸の塩、ニトリロ三酢酸の塩、ニトリロ三酢酸（ＮＴＡ）の塩、ジエタノールグリシンナトリウム塩、エタノールジグリシン二ナトリウム塩、ヒドロキシモノカルボン酸化合物の塩、ヒドロキシジカルボン酸化合物の塩、アミン含有カルボン酸の塩、テトラナトリウムＮ，Ｎ−ビス（カルボキシラトメチル）−Ｌ−グルタメート（ＧＬＤＡ）、ヒドロキシエチルエチレン−ジアミン三酢酸（ＨＥＤＴＡ）、メチルグリシン二酢酸（ＭＧＤＡ）、及びこれらの混合物の群から選択される少なくとも一つの封鎖剤組成物、最も好ましくはテトラナトリウムＮ，Ｎ−ビス（カルボキシラトメチル）−Ｌ−グルタメート（ＧＬＤＡ）を更に含む、請求項１〜６のいずれか一項に記載の洗浄組成物。
【請求項８】
シリケート、ケイ酸ナトリウム、二ケイ酸ナトリウム、酢酸カルシウム、塩化カルシウム、グルコン酸カルシウム、リン酸カルシウム、ホウ酸カルシウム、炭酸カルシウム、クエン酸カルシウム、乳酸カルシウム、硫酸カルシウム、酒石酸カルシウム、ベンゾトリアゾール、１，２，３−ベンゾトリアゾール、又は任意のこれらの組み合わせを含む群から選択される少なくとも一つの腐食防止剤、より好ましくは少なくとも一つのベンゾトリアゾール、最も好ましくは少なくとも一つのリン酸二水素メチル及び／又はメチル−１Ｈ−ベンゾトリアゾールを更に含む、請求項１〜７のいずれか一項に記載の洗浄組成物。
【請求項９】
−約５０質量％以上約９０質量％以下、好ましくは約６０質量％以上約８５質量％以下、より好ましくは約６５質量％以上約８０質量％以下、最も好ましくは約７０質量％以上約７５質量％以下のジエチレングリコールモノブチルエーテルと；
−約０質量％以上約５質量％以下、好ましくは約０．５質量％以上約３質量％以下、更に好ましくは約０．７５質量％以上約２．５質量％以下、より好ましくは約１質量％以上約２質量％以下、最も好ましくは約１．６質量％以上約１．８質量％以下の、少なくとも一つのＣ２〜Ｃ８有機酸、より好ましくはクエン酸と；
−約０質量％以上約５質量％以下、好ましくは約０．３５質量％以上約３．５質量％以下、より好ましくは約０．７質量％以上約２．８質量％以下、最も好ましくは約１．４質量％以上約２質量％以下の、少なくとも一つの非イオン性界面活性剤、好ましくは、３〜１５個のエチレンオキシド単位及び／又はプロピレンオキシド単位、好ましくは５〜１０個のエチレンオキシド単位及び／又はプロピレンオキシド単位を有する、Ｃ８〜Ｃ１８脂肪族アルコールアルコキシル化Ｃ２〜Ｃ６アルキルエーテル、より好ましくは１０個のＥＯ単位を有するＣ１２〜Ｃ１４脂肪族アルコールエトキシレートＣ４−アルキルエーテル、最も好ましくは約１０個のＥＯ単位を有するラウリル脂肪族アルコールエトキシブチルエーテルと；
−約０質量％以上約５質量％以下、好ましくは約０．０５質量％以上約１質量％以下、より好ましくは約０．１質量％以上約０．６質量％以下、最も好ましくは約０．２質量％以上約０．５質量％以下の、少なくとも一つの封鎖剤、より好ましくはテトラナトリウムＮ，Ｎ−ビス（カルボキシラトメチル）−Ｌ−グルタメート（ＧＬＤＡ）と；
−約０質量％以上約３質量％以下、好ましくは約０．１質量％以上約２．５質量％以下、より好ましくは約０．５質量％以上約２質量％以下、最も好ましくは約１質量％以上約１．５質量％以下の、少なくとも一つの腐食防止剤、好ましくはベンゾトリアゾール、最も好ましくは少なくとも一つのリン酸二水素メチル及び／又はメチル−１Ｈ−ベンゾトリアゾールと；
１００質量％まで加えられた水と
を含み、成分の質量％は洗浄組成物の合計質量に基づき、洗浄組成物の全ての成分の質量％は１００質量％を超えないよう選択される、
濃縮組成物の形態の、請求項１〜８のいずれか一項に記載の洗浄組成物。
【請求項１０】
前記濃縮洗浄組成物が、少なくとも一つの溶媒、好ましくは水で、１０〜１０００倍、好ましくは２０〜５００倍、更に好ましくは３０〜２００倍、より好ましくは４０〜１５０倍、最も好ましくは５０〜１００倍に希釈された希釈組成物の形態の、請求項１〜９のいずれか一項に記載の洗浄組成物。
【請求項１１】
−約１質量％以上約２質量％以下、好ましくは約１．２質量％以上約１．８質量％以下、より好ましくは約１．３質量％以上約１．６質量％以下、最も好ましくは約１．４質量％以上約１．５質量％以下のジエチレングリコールモノブチルエーテルと；
−約０質量％以上約０．１質量％以下、好ましくは約０．０１質量％以上約０．０６質量％以下、更に好ましくは約０．０１５質量％以上約０．０５質量％以下、より好ましくは約０．０２質量％以上約０．０４質量％以下、最も好ましくは約０．０３質量％以上約０．０４質量％以下の、少なくとも一つのＣ２〜Ｃ８有機酸、より好ましくはクエン酸と；
−約０質量％以上約０．１質量％以下、好ましくは約０．００７質量％以上約０．０７質量％以下、更に好ましくは約０．０１４質量％以上約０．０６質量％以下、最も好ましくは約０．０２８質量％以上約０．０４質量％以下の、少なくとも一つの非イオン性界面活性剤、好ましくは、３〜１５個のエチレンオキシド単位及び／又はプロピレンオキシド単位、好ましくは５〜１０個のエチレンオキシド単位及び／又はプロピレンオキシド単位を有する、Ｃ８〜Ｃ１８脂肪族アルコールアルコキシル化Ｃ２〜Ｃ６アルキルエーテル、より好ましくは１０個のＥＯ単位を有するＣ１２〜Ｃ１４脂肪族アルコールエトキシレートＣ４−アルキルエーテル、最も好ましくは約１０個のＥＯ単位を有するラウリル脂肪族アルコールエトキシブチルエーテルと；
−約０質量％以上約０．１質量％以下、好ましくは約０．００１質量％以上約０．０２質量％以下、更に好ましくは約０．００２質量％以上約０．０１２質量％以下、最も好ましくは約０．００４質量％以上約０．０１質量％以下の、少なくとも一つの封鎖剤、より好ましくはテトラナトリウムＮ，Ｎ−ビス（カルボキシラトメチル）−Ｌ−グルタメート（ＧＬＤＡ）と；
−約０質量％以上約０．０６質量％以下、好ましくは約０．００２質量％以上約０．０５質量％以下、より好ましくは約０．０１質量％以上約０．０４質量％以下、最も好ましくは約０．０２質量％以上約０．０３質量％以下の、少なくとも一つの腐食防止剤、好ましくはベンゾトリアゾール、最も好ましくは少なくとも一つのリン酸二水素メチル及び／又はメチル−１Ｈ−ベンゾトリアゾールと；
１００質量％まで加えられた水と
を含み、成分の質量％は洗浄組成物の合計質量に基づき、洗浄組成物の全ての成分の質量％は１００質量％を超えないよう選択される、
希釈組成物の形態の、請求項１〜１０のいずれか一項に記載の洗浄組成物。
【請求項１２】
表面からアクリルベースポリマー材料を除去する方法であって、前記表面上に位置する前記アクリルベースポリマー材料を、請求項１〜１１のいずれか一項に記載の洗浄組成物と接触させることと；
前記洗浄組成物とともに前記表面から前記アクリルベースポリマー材料を除去することと
を含む、方法。
【請求項１３】
前記アクリルベースポリマー材料が、アクリル酸、アクリル酸エステル、メタクリル酸及び／又はメタクリル酸エステル、好ましくはメタクリル酸及び／又はメタクリル酸エステル、最も好ましくは腸溶コーティングとして有用なアクリルベースポリマー材料である、請求項１２に記載の方法。
【請求項１４】
前記洗浄組成物は、約２３℃の室温以上約８０℃以下で使用され、好ましくは、前記洗浄組成物は、約５０℃以上約７５℃未満、又は好ましくは約６０℃以上約７５℃以下、最も好ましくは約７５℃の高温で使用される、請求項１２又は１３に記載の方法。
【請求項１５】
前記洗浄組成物は、約３０秒〜約２時間、又は約１分〜約１時間、好ましくは１０分〜３０分、最も好ましくは２０分間使用される、請求項１２〜１４のいずれか一項に記載の方法。
【発明の詳細な説明】
【技術分野】
【０００１】
本発明は、アクリルベースポリマー材料、例えばアクリルベースポリマー錠剤コーティングを、そのような材料を使用する際に使用される管（vessel）及び他の設備から除去するのに有用な洗浄組成物及び方法に関する。
【背景技術】
【０００２】
腸溶錠コーティングは、錠剤の活性医薬成分が吸収される消化系内の場所を制御する、経口薬に適用されるバリアである。ほとんどの腸溶コーティングは、胃に見られる高酸性ｐＨで安定であるが、小腸のあまり酸性でない比較的より塩基性のｐＨで素早く崩壊する表面を示すことによって機能する。例えば、それらはｐＨ３の胃の酸性液中では溶解しないが、しかしながら、それらは小腸に存在するｐＨ７〜９のアルカリ性の環境において溶解する。
【０００３】
胃への刺激効果を有する薬剤、例えばアスピリンは、小腸においてのみ溶解する物質によってコーティングされている可能性がある。同様に、アゾール、例えばエゾメプラゾール、オメプラゾール、パン、及びアゾールの特定の群は酸によって活性化される。そのような種類の薬剤のために、腸溶コーティングを処方に加えて、口及び食道において活性化することを回避する傾向がある。
【０００４】
近年では、いくつかの会社は、魚油カプセル、例えばω−３脂肪酸補助剤上の腸溶コーティングを利用し始めている。コーティングは、生臭い逆流又は生臭いげっぷを引き起こすことで知られる魚油カプセルが胃で消化されることを防止する。
【０００５】
場合により、略称「ＥＣ」は、薬剤の名称に付記され腸溶コーティングを有することを示す。
【０００６】
長時間かけて、コーティング設備及び関連設備、例えば容器、配管等は、ポリカルボキシルポリマー、例えばアクリルベースポリマー、脂肪酸、ワックス、セラック、プラスチック、及び／又は植物繊維を含むそのようなコーティング材料でひどく覆われている。具体的には、設備が効果的かつ効率的にその機能を発揮することができるように、コーティング材料を設備の表面から除去しなければならない。更に、設備は多くの場合医薬品及び／又は食品産業に用いられるので、洗浄作業自体は全てのコーティング材料を除去するよう効果的でなければならず、また、医薬品及び／又は食品産業で使用するために、例えば米国食品医薬品局によって認可されなければならない。そのような洗浄作業は費用効果的でもあるべきである。
【０００７】
従来の洗浄作業は、処理装置からアクリルベースポリマー材料を手動でこすり落とすことを含む。
【０００８】
米国特許第５，６０９，６９３号明細書は、表面、例えば、処理装置の一部の表面上に位置するアクリルベースポリマー材料を除去するのに有用な方法を記載している。方法は、少なくとも約２０質量パーセントの水と、アクリルベースポリマー材料の少なくとも一部を可溶化するのに効果的な量の、一分子当たりに少なくとも一つのアルキレンオキシド基、好ましくは複数のアルキレンオキシド基を含む有機成分とを含む組成物を、装置部品の表面上に位置するアクリルベースポリマー材料に接触させることを含む。そこに記載されている特に有用な溶媒成分の一つは、Olinによって商標Poly-solve TEの下で販売されているトリエチレングリコールモノエチルエーテルである。
【０００９】
米国特許第５，６０９，６９３号明細書は、トリエチレングリコールモノエチルエーテルを含む組成物でEudragit Lを除去するための処理温度は、約９０℃が必要であることを記載している。
【００１０】
たった約５％の親水基を有するEudragit RS 30Dと比較して、アクリルポリマーベース錠剤コーティングEudragit Lは、約１０％の親水基を有することが知られている。米国出願第５，６０９，６９３号明細書に記載されている方法の欠点は、処理温度が約９０℃であり、したがってエネルギー消費が高く、また、親水性の低いアクリルポリマーベース錠剤コーティングの残渣を除去することに関する洗浄性能に劣るということである。
【００１１】
２−エトキシエタノールのような他の成分は約４４℃の引火点を有し、エチレングリコールモノブチルエーテルは約６７℃の引火点、及び非常に強い刺激臭を有し、有毒であると考えられている。低い引火点は濃縮組成物に引火の危険性をもたらし、強い刺激臭は消費者に受け入れられない。
【発明の概要】
【発明が解決しようとする課題】
【００１２】
当業者であれば、アクリルベースポリマーコーティング材料、例えばアクリルベースポリマー錠剤コーティングを、そのような材料を使用する際に用いられる容器及び他の設備から除去するのに有用な、より低い処理温度で効果的で、７０℃より高い引火点を有する活性洗浄成分を含み、刺激臭がせず、生物分解可能で、消費者の健康に危険を及ぼさない、改善された洗浄組成物を提供する継続的な必要性があることを認めることができる。
【課題を解決するための手段】
【００１３】
本発明は、アクリルベースポリマー材料を除去するための液体洗浄組成物であって：
−ジエチレングリコールモノブチルエーテルと；
−水と
を含む、液体洗浄組成物に関する。
【００１４】
一つの側面によれば、液体洗浄組成物は、容器又は他の処理装置の表面上に位置する腸溶錠コーティングとして有用なアクリルベースポリマー材料を除去するための洗浄組成物であることができ、組成物は：
−ジエチレングリコールモノブチルエーテルと；
−水と
を含む。
【００１５】
アクリルベースポリマー材料は、容器又は他の処理装置の表面上に位置する腸溶コーティング材料であることができる。
【００１６】
ジエチレングリコールモノブチルエーテルは、７０℃より高い引火点を有し、刺激臭がせず、生物分解可能で、消費者の健康に危険性を及ぼさない。
【００１７】
驚くべきことに、活性洗浄成分としてのジエチレングリコールモノブチルエーテルを含む洗浄組成物では、約２３℃以上約８０℃以下において優れた洗浄性能が達成されることがあることが分かった。好ましくは、洗浄組成物は、約５０℃以上約７５℃未満、又は好ましくは約６０℃以上約７５℃以下、及び最も好ましくは約７５℃の高温で用いられる。
【００１８】
一つの側面によれば、アクリルベースポリマー材料、例えば容器又は他の処理装置の表面上に位置する腸溶錠コーティングとして有用なものを除去するための液体洗浄組成物は、ジエチレングリコールモノブチルエーテル以外のグリコールエーテルを含まなくてもよい。
【００１９】
一つの側面によれば、液体洗浄組成物は、ジエチレングリコールモノブチルエーテル以外のグリコールエーテルを含まず、かつ、１，２−プロピレングリコール、ジプロピレングリコール、及びブチレンジグリコールを含まなくてもよい。
【００２０】
一つの側面によれば、液体洗浄組成物は、ジエチレングリコールモノブチルエーテル以外のグリコールエーテルを含まず、かつ、１，２−プロピレングリコール、ジプロピレングリコール、ブチレンジグリコール、及びモノアルコールを含まなくてもよい。
【００２１】
一つの側面によれば、液体洗浄組成物は、ジエチレングリコールモノブチルエーテル以外のグリコールエーテルを含まず、かつ、１，２−プロピレングリコール、ジプロピレングリコール、ブチレンジグリコール、及びシリケートを含まなくてもよい。
【００２２】
一つの側面によれば、液体洗浄組成物は、ジエチレングリコールモノブチルエーテル以外のグリコールエーテル；シリケート；モノアルコール、例えばエタノール、イソプロパノール、２−ブトキシエタノール、１−デカノール、ベンジルアルコールなど；アニオン性界面活性剤；１，２−プロピレングリコール；ジプロピレングリコール；ブチレンジグリコール；１，３−ブタンジオール；１，４−ブタンジオール；及び２−ブテン酸を含まなくてもよい。
【００２３】
更に、驚くべきことに、クエン酸を洗浄組成物に加えることによって、濃縮組成物の安定性及び洗浄性能が更に改善されることがあることが分かった。例えば、高濃度のジエチレングリコールモノブチルエーテルは、洗浄組成物の視認できる濁度に繋がることがある。クエン酸の添加は透明溶液を与え及び維持し、このことは、希釈組成物と同様に濃縮洗浄組成物が無色溶液であることを意味する。
【００２４】
更に、クエン酸、好ましくは無水クエン酸を加えて、洗浄組成物のｐＨを調整してもよい。
【００２５】
他の側面によれば、洗浄組成物は：
−ジエチレングリコールモノブチルエーテルと；
−少なくとも一つのＣ２〜Ｃ１０有機酸、好ましくはクエン酸と；
−水と
を含む。
【００２６】
ａ）ジエチレングリコールモノブチルエーテルと、ｂ）少なくとも一つのＣ２〜Ｃ１０有機酸、好ましくはクエン酸との質量％比を所定量に調整すると、洗浄組成物の洗浄性能及び／又は溶液の無色性を改善することができる。
【００２７】
一つの側面によれば、洗浄組成物は、洗浄組成物の合計質量に基づいて、成分ａ）ジエチレングリコールモノブチルエーテルと、ｂ）少なくとも一つのＣ２〜Ｃ１０有機酸、好ましくはクエン酸とを、約１５０：１〜約３０：１、好ましくは約１００：１〜約４０：１、更に好ましくは９５：１〜約６０：１、より更に好ましくは約９０：１〜約７０：１、最も好ましくは約８５：１〜約８０：１のａ）対ｂ）の質量％比で含んでもよい。
【００２８】
他の成分を加えて洗浄組成物を処方してもよい。例えば、洗浄組成物の溶解、洗浄、及び乳化特性を改善するために、界面活性剤を加えることができる。水を軟化するためにキレート剤を加えてもよい。溶媒及び他の原料の溶解性を改善するために、乳化剤を加えてもよい。更に、腐食防止剤を加えて、材料の適合性を増大させてもよい。
【００２９】
一つの側面によれば、洗浄組成物は：
−ジエチレングリコールモノブチルエーテルと；
−少なくとも一つのＣ２〜Ｃ１０有機酸、好ましくはクエン酸と；
−少なくとも一つの非イオン性界面活性剤、好ましくは１０個のＥＯ単位を有するＣ１２〜Ｃ１４脂肪族アルコールエトキシレートＣ４−アルキルエーテル、最も好ましくは約１０個のＥＯ単位を有するラウリル脂肪族アルコールエトキシブチルエーテルと、
−任意の少なくとも一つの封鎖剤、好ましくはテトラナトリウムＮ，Ｎ−ビス（カルボキシレート−メチル）−Ｌ−グルタメート（ＧＬＤＡ）と
−任意の少なくとも一つの腐食防止剤、好ましくはメチル二水素ホスフェート及び／又はメチル−１Ｈ−ベンゾトリアゾールと；
−水と
を含む。
【発明を実施するための形態】
【００３０】
用語の定義
本発明がより容易に理解されるように、特定の用語をまず定義する。
【００３１】
本明細書で用いる「アクリルベース材料」及び「アクリルベースコーティング材料」は、アクリル酸、アクリル酸エステル、メタクリル酸及び／又はメタクリル酸エステルから選択される、一つ又は複数のモノマー、好ましくはメタクリル酸及び／又はメタクリル酸エステル；並びにこれらの混合物から誘導されるポリマーである。これらのポリマーの分子量は幅広い範囲にわたって変化してもよく、約１，０００〜約１０，０００，０００、好ましくは約５，０００〜約１，０００，０００、更に好ましくは約１０，０００〜約５００，０００、同じく好ましくは約２０，０００〜約２５０，０００、より好ましくは約２５，０００〜約１００，０００、最も好ましくは約３０，０００〜約５０，０００の平均分子量を有するポリマーを使用することが好ましい。これらのアクリルベースのポリマーの平均分子量及び分子量分布を決定する標準的な試験方法は、液体排斥クロマトグラフィー（ゲル浸透クロマトグラフィー−ＧＰＣ）−ASTM D 3536-91（１９９１年）である。
【００３２】
本明細書で用いる、「質量パーセント（weight percent）」、「質量％（wt-%）」、「質量パーセント（percent by weight）」、「質量％（% by weight）」、及びこれらの変形は、洗浄組成物の組成物、成分、物質、又は剤の質量を使用組成物の合計質量で除して１００を掛けた、洗浄組成物の組成物、成分、物質、又は剤を意味する。洗浄組成物ならびに使用組成物の全ての成分、物質、又は剤の合計の質量パーセントの量は、１００質量％を超えないように選択されるものと理解される。
【００３３】
本願明細書で用いる、「パーセント」、「％」等は、「質量パーセント」、「質量％」等と同義を意図するものとして理解される。
【００３４】
本明細書で用いるように、用語「約」は、例えば、実際の洗浄組成物を作るために使用される典型的な測定及び液体取扱い手順を通して；これらの手順における不注意のエラーを通して；組成物を作る、又は方法を実施するために用いる成分の製造、源、又は純度の違いなどを通して発生することがある数量の変化を指す。用語「約」は、特定の初期混合物から生じる洗浄組成物について異なる平衡条件によって異なる量もまた包含する。
【００３５】
用語「約」によって修飾されているか否かにかかわらず、請求項は量に均等物を含む。
【００３６】
本明細書、及び添付の特許請求の範囲において用いる、単数形「a」、「an」、及び「the」は、別途文脈上明確に述べない限り、複数形の引用を含む点に留意されたい。
【００３７】
別途文脈上明確に述べない限り、用語「又は」は、「及び／又は」を含む意味で一般に使用することにも留意されたい。
【００３８】
アクリルベースポリマーコーティング材料を除去するための活性洗浄成分
活性洗浄成分は、ジエチレングリコールモノブチルエーテルである。ジエチレングリコールモノブチルエーテルは、より低温、例えば約２３℃以上８０℃以下で優れた洗浄性能を提供し、好ましくは、洗浄組成物は、約５０℃以上約７５℃未満、又は好ましくは約６０℃以上約７５℃以下、及び最も好ましくは約７５℃の高温で使用される。
【００３９】
更に、ジエチレングリコールモノブチルエーテルは、７０℃より高い引火点を有し、刺激臭を有さず、生物分解可能であり、消費者の健康に危険を及ぼさない。
【００４０】
任意に、Ｃ２〜Ｃ１０有機酸の存在下、ａ）ジエチレングリコールモノブチルエーテルに対するｂ）Ｃ２〜Ｃ８有機酸、好ましくはクエン酸の質量％比は、洗浄組成物の合計質量に基づいて、約１５０：１〜約３０：１、好ましくは約１００：１〜約４０：１、更に好ましくは約９５：１〜約６０：１、より好ましくは約９０：１〜約７０：１、最も好ましくは約８５：１〜約８０：１である。
【００４１】
濃縮洗浄組成物は、ジエチレングリコールモノブチルエーテルを、洗浄組成物の合計質量に基づいて、約５０質量％以上約９０質量％以下、好ましくは約６０質量％以上約８５質量％以下、より好ましくは約６５質量％以上約８０質量％以下、最も好ましくは約７５質量％以上約７０質量％以下含んでもよい。
【００４２】
即使用可能な溶液とも呼ばれる希釈洗浄組成物は、ジエチレングリコールモノブチルエーテルを、洗浄組成物の合計質量に基づいて約１質量％以上約２質量％以下、好ましくは約１．２質量％以上約１．８質量％以下、より好ましくは約１．３質量％以上約１．６質量％以下、最も好ましくは約１．４質量％以上約１．５質量％以下含んでもよい。
【００４３】
Ｃ２〜Ｃ１０有機酸
様々なあらゆるＣ２〜Ｃ１０カルボン酸成分を、洗浄組成物にしたがって使用することができる。そのような成分としては、Ｃ２〜Ｃ１０カルボン酸自体、そのようなＣ２〜Ｃ１０カルボン酸の酸性塩、及びこれらの混合物が挙げられる。そのようなＣ２〜Ｃ１０カルボン酸としては、少なくとも一つのカルボン酸官能基、好ましくは二つ又はそれ以上のカルボン酸官能基を含む。Ｃ２〜Ｃ１０カルボン酸成分は、好ましくはポリカルボン酸であり、一分子当たり１個〜約１０個の炭素原子、好ましくは約３個〜約６個の炭素原子を有する。Ｃ２〜Ｃ１０カルボン酸の塩を使用する場合、濃縮洗浄組成物のｐＨはｐＨ４．５〜ｐＨ４．３に調整し、希釈洗浄組成物のｐＨはｐＨ４．５〜ｐＨ６．０に調整して、洗浄組成物にしたがいアクリルベースポリマー材料の除去を促進してもよいことは重要である。
【００４４】
本洗浄組成物において有用なカルボン酸成分の例としては、酢酸、プロピオン酸、イソプロピオン酸、ブタン酸、ペンタン酸、ヘキサン酸、ヘプタン酸、オクタン酸、ノナン酸、デカン酸、グリコール酸、クエン酸、乳酸、酒石酸、フマル酸、リンゴ酸、イタコン酸、アスコルビン酸、安息香酸、サリチル酸、及び／又はコハク酸、並びにより好ましくはクエン酸を含む群から選択されるＣ２〜Ｃ１０有機酸が挙げられる。
【００４５】
濃縮洗浄組成物は、少なくとも一つのＣ２〜Ｃ８有機酸、より好ましくはクエン酸を、洗浄組成物の合計質量に基づいて、約０質量％以上約５質量％以下、好ましくは約０．５質量％以上約３質量％以下、より好ましくは約０．７５質量％以上約２．５質量％以下、更に好ましくは約１質量％以上約２質量％以下、最も好ましくは約１．６質量％以上約１．８質量％以下含んでもよい。
【００４６】
即使用可能な溶液とも呼ばれる希釈洗浄組成物は、少なくとも一つのＣ２〜Ｃ８有機酸、より好ましいクエン酸を、洗浄組成物の合計質量に基づいて、約０質量％以上約０．１質量％以下、約０．０１質量％以上約０．０６質量％以下、約０．０１５質量％以上約０．０５質量％以下、約０．０２質量％以上約０．０４質量％以下、約０．０３質量％以上約０．０４質量％以下含んでもよい。
【００４７】
界面活性剤
洗浄組成物としては、非イオン性界面活性剤、カチオン性界面活性剤、両性界面活性剤、及びその混合物が挙げられる。界面活性剤成分を用いて表面張力を低減し、また、洗浄組成物の溶解、洗浄、及び乳化特性を改善することができる。
【００４８】
本明細書で用いるように、「界面活性剤」は、液体、例えば水の表面張力を下げるあらゆる剤を意味する。本洗浄組成物とともに使用するのに適することがある例示的な界面活性剤を以下に記載する。一実施形態において、界面活性剤は、非イオン性、カチオン性、両性、双性、及びこれらの組み合わせからなる群から選択されてもよい。
【００４９】
最も好ましくは、洗浄組成物はアニオン性界面活性剤を含まない。
【００５０】
非イオン性界面活性剤
洗浄組成物に使用することができる例示的な非イオン性界面活性剤は、アルコキシル化された、好ましくはエトキシル化された、又はエトキシル化及びプロポキシル化された、好ましくはアルキル鎖中に１〜４個の炭素原子を含む、脂肪酸アルキルエステル、より詳細には脂肪酸メチルエステルであってよい。
【００５１】
更なる界面活性剤としては、脂肪酸が８〜２０個の炭素原子を有し、アミド基が１〜２０個のエチレンオキシド単位でエトキシル化された、エトキシル化長鎖脂肪酸アミドが挙げられる。
【００５２】
洗浄組成物に使用することができる非イオン性界面活性剤の更なる分類は、アルキルポリグリコシド（ＡＰＧ）である。適切なアルキルポリグリコシドは一般式ＲＯ（Ｇ）ｚを満たし、式中、Ｒは、４〜２２個、好ましくは６〜１８個の炭素原子を含む、直鎖又は分岐鎖、特に２−メチル分岐鎖、飽和又は不飽和脂肪族基であり、Ｇは、５又は６個の炭素原子を含むグリコシド単位、好ましくはグルコースを表す。オリゴマー化度ｚは、約１．０〜約４．０、好ましくは約１．１〜約１．４である。
【００５３】
更に、エチレンオキシドと、プロピレンオキシド及びエチレンジアミンの反応から生じる生成物との縮合から導かれる非イオン性界面活性剤もまた有用である。例えば、エチレンオキシド基と、エチレンジアミン及び過剰なプロピレンオキシドの反応生成物から構成される疎水性塩基との反応から生じる、４０質量％〜８０質量％のポリオキシエチレンを含み、約５，０００〜約１１，０００の分子量を有する化合物があり、塩基は、２，５００〜３，０００オーダーの分子量を有する。
【００５４】
適切なノニオン系界面活性剤としては、ＢＡＳＦによって商品名「Pluronic」の下で販売されているポリオキシエチレンポリオキシプロピレン縮合物、脂肪族アルコールのポリオキシエチレン縮合物／１モル当たり１〜３０モルのエチレンオキシドを有する、ヤシアルコールのエチレンオキシド縮合物；Shell Chemical Co.によって商品名「Neodol」の下で販売されているエトキシル化長鎖アルコール、ソルビタン脂肪酸のポリオキシエチレン縮合物、アルカノールアミド、例えばモノアルカノールアミド、ジアルカノールアミド、及びエトキシル化アルカノールアミド、例えばヤシモノエタノールアミド、ラウリン酸イソプロパノールアミド、及びラウリン酸ジエタノールアミド；並びにアミンオキシド、例えばドデシルジメチルアミンオキシドが挙げられる。
【００５５】
洗浄組成物に用いることができるノニオン系界面活性剤としては、ポリアルキレンオキシド界面活性剤（ポリオキシアルキレン界面活性剤、又はポリアルキレングリコール界面活性剤としても知られる）が挙げられる。適切なポリアルキレンオキシド界面活性剤としては、ポリオキシプロピレン界面活性剤、及びポリオキシエチレングリコール界面活性剤が挙げられる。この種の適切な界面活性剤は、合成有機ポリオキシプロピレン（ＰＯ）−ポリオキシエチレン（ＥＯ）ブロックコポリマーである。これらの界面活性剤としては、一つのＥＯブロックと一つのＰＯブロックを含むジブロックポリマー、中央ブロックのポリオキシプロピレン単位（ＰＯ）と、ポリオキシプロピレン単位にグラフトされたポリオキシエチレンの複数のブロックとを有するもの、又は中央のＥＯのブロックに取り付いた複数のＰＯブロックを有するものが挙げられる。更に、この界面活性剤は、分子内に、ポリオキシエチレン又はポリオキシプロピレンのいずれかの更なる複数のブロックを有することができる。有用な界面活性剤の適切な平均分子量の範囲は、約１，０００〜約４０，０００であることができ、エチレンオキシドの質量パーセント含有量は、約１０〜８０質量％であることができる。
【００５６】
洗浄組成物に使用するための適切なポリエチレングリコールは、約４０００以上約１２０００以下、好ましくは約６０００以上約１００００以下、より好ましくは約７０００以上約８０００以下の平均モル質量（ＭＷ）を有することができる。例えば、用いることができるポリエチレングリコールは、ＢＡＳＦによって商品名PLURIOL（登録商標）の下で上市されている。
【００５７】
したがって、洗浄組成物は、少なくとも一つのポリエチレングリコール、好ましくは４，０００〜１２，０００の平均モル質量を有するポリエチレングリコール、より好ましくは約８，０００の平均モル質量を有するポリエチレングリコールを含む。
【００５８】
更に例示的な非イオン性界面活性剤としては、アルキルフェノールアルコキシレート、及びアミンオキシド、例えばアルキルジメチルアミンオキシド、又はビス（２−ヒドロキシエチル）アルキルアミンオキシドが挙げられる。
【００５９】
最も好ましくは、洗浄組成物は、少なくとも一つの非イオン性界面活性剤、好ましくは少なくとも一つのＣ４〜Ｃ１８アルキルポリグリコシド又は任意のこれらの組み合わせ、好ましくは少なくとも一つのＣ８〜Ｃ１６アルキルポリグリコシド、更に好ましくはＣ８〜Ｃ１６アルキルポリグリコシドの混合物を含んでもよい。
【００６０】
より好ましくは、非イオン性界面活性剤は：
（ｉ）約１〜約８モルのエチレンオキシド単位と、８モルのプロピレンオキシド単位とを有する、Ｃ１２〜１８アルキルポリエチレングリコールポリプロピレングリコールエーテル、
（ｉｉ）約１〜約８モルのエチレンオキシド単位と、８モルのブチレンオキシド単位とを有する、Ｃ１２〜１８アルキルポリエチレンポリブチレングリコールエーテル、
（ｉｉｉ）末端封鎖したアルキルポリアルキレングリコール混合エーテル、
（ｉｖ）約１〜約４の重合度を有するＣ８〜１４アルキルポリグルコシド、
（ｖ）約３〜約８個のエチレンオキシド単位を有する、Ｃ１２〜１４アルキルポリエチレングリコール、
（ｖｉ）グルカミド、
（ｖｉｉ）ヒドロキシ混合エーテル、
（ｖｉｉｉ）脂肪族アルコールアルコキシレート、
（ｉｘ）より好ましくは、約３〜約１５個のエチレンオキシド単位及び／又はプロピレンオキシド単位、好ましくは約５〜約１０個のエチレンオキシド単位及び／又はプロピレンオキシド単位を有する、Ｃ８〜Ｃ１８脂肪族アルコールアルコキシレートＣ２〜Ｃ６アルキルエーテル、
（ｘ）最も好ましくは、Ｃ８〜Ｃ１８脂肪族アルコールＣ２〜Ｃ１０アルキルポリグリコシド、及びその混合物、約１０個のＥＯ単位を有するラウリル脂肪族アルコールエトキシブチルエーテル
からなる群から選択される非イオン性界面活性剤である。
【００６１】
洗浄組成物は、好ましくは濃縮物の形態において、少なくとも一つの非イオン性界面活性剤、好ましくは、３〜１５個のエチレンオキシド単位及び／又はプロピレンオキシド単位、好ましくは５〜１０個のエチレンオキシド単位及び／又はプロピレンオキシド単位を有する、Ｃ８〜Ｃ１８脂肪族アルコールアルコキシル化Ｃ２〜Ｃ６アルキルエーテル、より好ましくは、１０個のＥＯ単位を有するＣ１２〜Ｃ１４脂肪族アルコールエトキシレートＣ４−アルキルエーテル、及び最も好ましくは、約１０個のＥＯ単位を有するラウリル脂肪族アルコールエトキシブチルエーテルを、洗浄組成物の合計質量に基づいて、約０質量％以上約５質量％以下、好ましくは約０．３５質量％以上約３．５質量％以下、より好ましくは約０．７質量％以上約２．８質量％以下、更に好ましくは約１．４質量％以上約２質量％以下含んでもよい。
【００６２】
希釈洗浄組成物は、少なくとも一つの非イオン性界面活性剤、好ましくは、３〜１５個のエチレンオキシド単位及び／又はプロピレンオキシド単位、好ましくは５〜１０個のエチレンオキシド単位及び／又はプロピレンオキシド単位を有する、Ｃ８〜Ｃ１８脂肪族アルコールアルコキシル化Ｃ２〜Ｃ６アルキルエーテル、より好ましくは、１０個のＥＯ単位を有するＣ１２〜Ｃ１４脂肪族アルコールエトキシレートＣ４−アルキルエーテル、及び最も好ましくは、約１０個のＥＯ単位を有するラウリル脂肪族アルコールエトキシブチルエーテルを、洗浄組成物の合計質量に基づいて、約０質量％以上約０．１質量％以下、好ましくは約０．００７質量％以上約０．０７質量％以下、より好ましくは約０．０１４質量％以上約０．０６質量％以下、最も好ましくは約０．０２８質量％以上約０．０４質量％以下含んでもよい。
【００６３】
カチオン性界面活性剤
洗浄組成物は、カチオン性界面活性剤成分を含むことができる。
カチオン性界面活性剤を用いて消毒特性を提供し、洗浄組成物の溶解、洗浄、及び乳化特性を改善するために表面張力を低減することができる。
【００６４】
洗浄組成物中に用いることができるカチオン性界面活性剤としては、限定されないが：アミン、例えばＣ１〜８アルキル又はアルケニル鎖を有する第一級、第二級、及び第三級モノアミン、エトキシルアルキルアミン、エチレンジアミンのアルコキシレート、イミダゾール、例えば１−（２−ヒドロキシエチル）−２−イミダゾリン、２−アルキル−１−（２−ヒドロキシエチル）−２−イミダゾリン等；並びにポリスルホン酸アンモニウム塩、例えばアルキルポリスルホン酸アンモニウムクロリド界面活性剤、例えばｎ−アルキル（Ｃ１２〜Ｃ１８）ジメチルベンジルアンモニウムクロリド）、ｎ−テトラデシルジメチルベンジルアンモニウムクロリド一水和物、及びナフチレン置換ポリスルホネートアンモニウムクロリド、例えばジメチル−１−ナフチルメチルアンモニウムクロリドが挙げられる。適切なカチオン性界面活性剤としては、式ＲＲ’Ｒ’’Ｒ’’’Ｎ＋Ｘ−を有する第四級アンモニウム化合物が挙げられ、式中、Ｒ、Ｒ’、Ｒ’’、Ｒ’’’は、それぞれ、一つ又は複数のＰ、Ｏ、Ｓ、又はＮヘテロ原子を任意に含むことができるＣ１〜Ｃ２４アルキル、アリール、又はアリールアルキル基であり、ＸはＦ、Ｃｌ、Ｂｒ、Ｉ、又はアルキルサルフェートである。
【００６５】
更なる好ましいカチオン性界面活性剤としては、エトキシル化及び／又はプロポキシル化された、アルキルアミン、ジアミン、又はトリアミンが挙げられる。
【００６６】
Ｒ、Ｒ’、Ｒ’’、及びＲ’’’のそれぞれは、独立して、個々に又は組み合わせて、６〜２４個の炭素原子、好ましくは１４〜２４個の炭素原子、より好ましくは１６〜２４個の炭素原子を含む置換基を含むことができる。
【００６７】
Ｒ、Ｒ’、Ｒ’’、及びＲ’’’のそれぞれは、独立して、直鎖、環状、分岐鎖、飽和、又は不飽和であることができ、ヘテロ原子、例えば、酸素、リン、硫黄、又は窒素を含むことができる。Ｒ、Ｒ’、Ｒ’’、及びＲ’’’の任意の二つは、環状基を形成することができる。Ｒ、Ｒ’、Ｒ’’、及びＲ’’’の三つのうち任意の一つは、独立して水素であることができる。Ｘは、好ましくはカウンターイオン、及び好ましくは非フッ化カウンターイオンである。例示的なカウンターイオンとしては、塩化物、臭化物、メソ硫酸、エトサルフェート、サルフェート、及びホスフェートが挙げられる。
【００６８】
一実施形態において、第四級アンモニウム化合物としては、アルキルエトキシル化及び／又はプロポキシル化された第四級アンモニウム塩（又はアミン）が挙げられる。
【００６９】
好ましくは、アルキル基は、約６〜約２２個の炭素原子を含み、飽和及び／又は不飽和であることができる。エトキシル化度は好ましくは約２〜約２０であり、及び／又はプロポキシル化度は好ましくは約０〜約３０である。
【００７０】
一実施形態において、第四級アンモニウム化合物としては、約２〜約２０個の炭素原子、及び約６〜約２２のエトキシル化度を有するアルキル基が挙げられる。好ましいカチオン性界面活性剤は、Akzo-Nobelから名称Berol 563の下で商業的に入手可能である。
【００７１】
少なくとも一つのカチオン界面活性剤は、洗浄組成物中に、好ましくは濃縮物の形態において、洗浄組成物の合計質量に基づいて、約０質量％以上約５質量％以下、好ましくは約０．３５質量％以上約３．５質量％以下、より好ましくは約０．７質量％以上約２．８質量％以下、最も好ましくは約１．４質量％以上約２質量％以下で提供することができる。
【００７２】
希釈洗浄組成物は、少なくとも一つのカチオン性界面活性剤を、洗浄組成物の合計質量に基づいて、約０質量％以上約０．１質量％以下、好ましくは約０．００７質量％以上約０．０７質量％以下、より好ましくは約０．０１４質量％以上約０．０６質量％以下、最も好ましくは約０．０２８質量％以上約０．０４質量％以下含んでもよい。
【００７３】
洗浄組成物は、好ましくはカチオン性界面活性剤を含まないことができることを理解すべきである。
【００７４】
両性界面活性剤
洗浄組成物の溶解、洗浄、及び乳化特性を改良するために、両性界面活性剤を用いて表面張力を低減することもできる。用いることができる適切な両性界面活性剤としては、限定されないが、ベタイン、イミダゾリン、及びプロピオネートが挙げられる。適切な両性界面活性剤としては、限定されないが、スルテイン、アンホプロピオネート、アンホジプロピオネート、アミノプロピオネート、アミノジプロピオネート、アンホアセテート、アンホジアセテート、及びアンホヒドロキシプロピルスルホネートが挙げられる。濃縮洗浄組成物は、少なくとも一つの両性界面活性剤を含む場合、洗浄組成物の合計質量に基づいて、約０質量％以上約５質量％以下、好ましくは約０．３５質量％以上約３．５質量％以下、より好ましくは約０．７質量％以上約２．８質量％以下、最も好ましくは約１．４質量％以上約２質量％以下の量の両性界面活性剤を含むことができる。
【００７５】
希釈洗浄組成物は、少なくとも一つの両性界面活性剤を、洗浄組成物の合計質量に基づいて、約０質量％以上約０．１質量％以下、好ましくは約０．００７質量％以上約０．０７質量％以下、より好ましくは約０．０１４質量％以上約０．０６質量％以下、最も好ましくは約０．０２８質量％以上約０．０４質量％以下含んでもよい。
【００７６】
洗浄組成物は、好ましくは両性界面活性剤を含まないことができることを理解すべきである。
【００７７】
封鎖剤
洗浄組成物は、更に、グルコン酸ナトリウム、ジエチレントリアミン五酢酸（ＤＴＰＡ）のペンタナトリウム塩、グルコヘプトン酸ナトリウム、エチレンジアミン四酢酸（ＥＤＴＡ）の塩、エチレンジアミン四酢酸の塩、ヒドロキシエチルエチレンジアミン三酢酸の塩、ヒドロキシエチルエチレンジアミン三酢酸の塩、ニトリロ三酢酸の塩、ニトリロ三酢酸（ＮＴＡ）の塩、ジエタノールグリシンナトリウム塩、エタノールジグリシン二ナトリウム塩、ヒドロキシモノカルボン酸化合物の塩、ヒドロキシジカルボン酸化合物の塩、アミン含有カルボン酸の塩、テトラナトリウムＮ，Ｎ−ビス（カルボキシラトメチル）−Ｌ−グルタメート（ＧＬＤＡ）、ヒドロキシエチルエチレン−ジアミン三酢酸（ＨＥＤＴＡ）、メチル−グリシン二酢酸（ＭＧＤＡ）、及びそれらの混合物からなる群から選択される少なくとも一つの封鎖剤を含んでもよく、テトラナトリウムＮ，Ｎ−ビス（カルボキシラトメチル）−Ｌ−グルタメート（ＧＬＤＡ）が最も好ましい。
【００７８】
したがって、洗浄組成物は、好ましくは濃縮物の形態で、少なくとも一つの封鎖剤、より好ましくはテトラナトリウムＮ，Ｎ−ビス（カルボキシラトメチル）−Ｌ−グルタメート（ＧＬＤＡ）を、洗浄組成物の合計質量に基づいて、約０質量％以上約５質量％以下、好ましくは約０．０５質量％以上約１質量％以下、より好ましくは約０．１質量％以上約０．６質量％以下、最も好ましくは約０．２質量％以上約０．５質量％以下含んでもよい。
【００７９】
したがって、洗浄組成物は、好ましくは希釈組成物の形態で、少なくとも一つの封鎖剤、より好ましくはテトラナトリウムＮ，Ｎ−ビス（カルボキシラトメチル）−Ｌ−グルタメート（ＧＬＤＡ）を、洗浄組成物の合計質量に基づいて、約０質量％以上約０．１質量％以下、好ましくは約０．００１質量％以上約０．０２質量％以下、より好ましくは約０．００２質量％以上約０．０１２質量％以下、最も好ましくは約０．００４質量％以上約０．０１質量％以下含んでもよい。
【００８０】
洗浄組成物は、好ましくは封鎖剤を含まないことができることを理解すべきである。
【００８１】
腐食防止剤
洗浄組成物は、シリケート、ケイ酸ナトリウム、二ケイ酸ナトリウム、酢酸カルシウム、塩化カルシウム、グルコン酸カルシウム、リン酸カルシウム、ホウ酸カルシウム、炭酸カルシウム、クエン酸カルシウム、乳酸カルシウム、硫酸カルシウム、酒石酸カルシウム、ベンゾトリアゾール、１，２，３−ベンゾトリアゾール、又は任意のこれらの組み合わせを含む群から選択される少なくとも一つの腐食防止剤、より好ましくは少なくとも一つのベンゾトリアゾール、より更に好ましくはPolygon PCG 1419及び／又はPolygon PCG 1831、最も好ましくは少なくとも一つのリン酸二水素メチル及び／又はメチル−１Ｈ−ベンゾトリアゾールを更に含んでもよい。
【００８２】
Polygon PCG 1419は、腐食防止剤としてリン酸二水素メチルを含み、Polygon Chemie AGから入手可能である。Polygon PCG 1831は、腐食防止剤としてメチル−１Ｈ−ベンゾトリアゾールを含み、Polygon Chemie AGから入手可能である。
【００８３】
したがって、洗浄組成物は、好ましくは濃縮物の形態で、少なくとも一つの腐食防止剤、好ましくはベンゾトリアゾール、さらに好ましくはPolygon PCG 1419及び／又はPolygon PCG 1831、最も好ましくは少なくとも一つのリン酸二水素メチル及び／又はメチル−１Ｈ−ベンゾトリアゾールを、洗浄組成物の合計質量に基づいて、約０質量％以上約３質量％以下、好ましくは約０．１質量％以上約２．５質量％以下、より好ましくは約０．５質量％以上約２質量％以下、最も好ましくは約１質量％以上約１．５質量％以下含んでもよい。
【００８４】
洗浄組成物は、好ましくは希釈組成物の形態で、少なくとも一つの腐食防止剤、好ましくはベンゾトリアゾール、さらに好ましくはPolygon PCG 1419及び／又はPolygon PCG 1831、最も好ましくは少なくとも一つのリン酸二水素メチル及び／又はメチル−１Ｈ−ベンゾトリアゾールを、洗浄組成物の合計質量に基づいて、約０質量％以上約０．０６質量％以下、好ましくは約０．００２質量％以上約０．０５質量％以下、より好ましくは約０．０１質量％以上約０．０４質量％以下、最も好ましくは約０．０２質量％以上約０．０３質量％以下含んでもよい。
【００８５】
洗浄組成物は、好ましくは腐食防止剤を含まないことができることを理解すべきである。
【００８６】
溶媒
したがって、洗浄組成物は溶媒として水を含み、水は１００質量％まで加えられる。
【００８７】
更なる溶媒
洗浄組成物は、限定されないが、モノアルコール、例えばエタノール、イソプロパノール、２−ブトキシエタノール、１−デカノール、ベンジルアルコール、又はこれらの組み合わせを含む更なる溶媒を含んでもよい。
【００８８】
更なる溶媒は、１００質量％まで加えてもよい。
【００８９】
洗浄組成物は、好ましくはモノアルコールを含まないことができることを理解すべきである。
【００９０】
洗浄組成物は、好ましくは更なる溶媒を含まないことができることを理解すべきである。
【００９１】
濃縮物
洗浄組成物は、液体濃縮物の形態で提供することができる。濃縮物は、液体媒体、好ましくは水、及び比較的高濃度の一つ又は複数の活性成分を含む。濃縮液体洗浄組成物のｐＨは、約ｐＨ４．５〜約ｐＨ４．３であってよく、希釈洗浄組成物についてのｐＨは、約４．５のｐＨ〜約６．０のｐＨに調整してもよい。Ｃ２〜Ｃ１０有機酸、好ましくはクエン酸を含まない濃縮液体洗浄組成物のｐＨは、約ｐＨ７．５〜約ｐＨ１１であってよい。
【００９２】
溶媒、好ましくは水は、洗浄組成物に１００質量％まで加えられ、成分の質量％は、洗浄組成物の合計質量に基づいて、洗浄組成物の全ての成分の質量％が１００質量％を超えないよう選択される。
【００９３】
一つの側面によれば、洗浄組成物は、好ましくは濃縮物の形態で、ジエチレングリコールモノブチルエーテルを、約５０質量％以上約９０質量％以下、好ましくは約６０質量％以上約８５質量％以下、より好ましくは約６５質量％以上約８０質量％以下、最も好ましくは約７０質量％以上約７５質量％以下含んでもよく、質量％は洗浄組成物の成分の合計質量に基づく。
【００９４】
一実施形態によれば、洗浄組成物は、好ましくは濃縮物の形態で：
−約５０質量％以上約９０質量％以下、好ましくは約６０質量％以上約８５質量％以下、より好ましくは約６５質量％以上約８０質量％以下、最も好ましくは約７０質量％以上約７５質量％以下の、ジエチレングリコールモノブチルエーテルと；
−約０．５質量％以上約３質量％以下、好ましくは約０．７５質量％以上約２．５質量％以下、更に好ましくは約１質量％以上約１．８質量％以下、最も好ましくは約１．６質量％以上約２．５質量％以下の、少なくとも一つのＣ２〜Ｃ８有機酸、より好ましくはクエン酸と
を含み、成分の質量％は洗浄組成物の合計質量に基づく。
【００９５】
一実施形態によれば、洗浄組成物は、好ましくは濃縮物の形態で：
−約５０質量％以上約９０質量％以下、好ましくは約６０質量％以上約８５質量％以下、より好ましくは約６５質量％以上約８０質量％以下、最も好ましくは約７０質量％以上約７５質量％以下の、ジエチレングリコールモノブチルエーテルと；
−約０．５質量％以上約３質量％以下、好ましくは約０．７５質量％以上約２．５質量％以下、更に好ましくは約１質量％以上約２質量％以下、最も好ましくは約１．６質量％以上約１．８質量％以下の、少なくとも一つのＣ２〜Ｃ８有機酸、より好ましくはクエン酸と；
−約０．３５質量％以上約３．５質量％以下、より好ましくは約０．７質量％以上約２．８質量％以下、最も好ましくは約１．４質量％以上約２質量％以下の、少なくとも一つの非イオン性界面活性剤、好ましくは、３〜１５個のエチレンオキシド単位及び／又はプロピレンオキシド単位、好ましくは５〜１０個のエチレンオキシド単位及び／又はプロピレンオキシド単位を有する、Ｃ８〜Ｃ１８脂肪族アルコールアルコキシル化Ｃ２〜Ｃ６アルキルエーテル、より好ましくは１０個のＥＯ単位を有するＣ１２〜Ｃ１４脂肪族アルコールエトキシレートＣ４−アルキルエーテル、最も好ましくは約１０個のＥＯ単位を有するラウリル脂肪族アルコールエトキシブチルエーテルと
を含み、成分の質量％は洗浄組成物の合計質量に基づく。
【００９６】
一実施形態によれば、洗浄組成物は、好ましくは濃縮物の形態で：
−約５０質量％以上約９０質量％以下、好ましくは約６０質量％以上約８５質量％以下、より好ましくは約６５質量％以上約８０質量％以下、最も好ましくは約７０質量％以上約７５質量％以下の、ジエチレングリコールモノブチルエーテルと；
−約０．５質量％以上約３質量％以下、好ましくは約０．７５質量％以上約２．５質量％以下、更に好ましくは約１質量％以上約２質量％以下、最も好ましくは約１．６質量％以上約１．８質量％以下の、少なくとも一つのＣ２〜Ｃ８有機酸、より好ましくはクエン酸と；
−約０．３５質量％以上約３．５質量％以下、より好ましくは約０．７質量％以上約２．８質量％以下、最も好ましくは約１．４質量％以上約２質量％以下の、少なくとも一つの非イオン性界面活性剤、好ましくは、３〜１５個のエチレンオキシド単位及び／又はプロピレンオキシド単位、好ましくは５〜１０個のエチレンオキシド単位及び／又はプロピレンオキシド単位を有する、Ｃ８〜Ｃ１８脂肪族アルコールアルコキシル化Ｃ２〜Ｃ６アルキルエーテル、より好ましくは１０個のＥＯ単位を有するＣ１２〜Ｃ１４脂肪族アルコールエトキシレートＣ４−アルキルエーテル、最も好ましくは約１０個のＥＯ単位を有するラウリル脂肪族アルコールエトキシブチルエーテルと；
−約０．０５質量％以上約１質量％以下、より好ましくは約０．１質量％以上約０．６質量％以下、最も好ましくは約０．２質量％以上約０．５質量％以下の、少なくとも一つの封鎖剤、より好ましくはテトラナトリウムＮ，Ｎ−ビス（カルボキシラトメチル）−Ｌ−グルタメート（ＧＬＤＡ）と
を含み、成分の質量％は洗浄組成物の合計質量に基づく。
【００９７】
一実施形態によれば、洗浄組成物は、好ましくは濃縮物の形態で：
−約５０質量％以上約９０質量％以下、好ましくは約６０質量％以上約８５質量％以下、より好ましくは約６５質量％以上約８０質量％以下、最も好ましくは約７０質量％以上約７５質量％以下のジエチレングリコールモノブチルエーテルと；
−約０．５質量％以上約３質量％以下、好ましくは約０．７５質量％以上約２．５質量％以下、更に好ましくは約１質量％以上約２質量％以下、最も好ましくは約１．６質量％以上約１．８質量％以下の、少なくとも一つのＣ２〜Ｃ８有機酸、より好ましくはクエン酸と；
−約０．３５質量％以上約３．５質量％以下、より好ましくは約０．７質量％以上約２．８質量％以下、最も好ましくは約１．４質量％以上約２質量％以下の、少なくとも一つの非イオン性界面活性剤、好ましくは、３〜１５個のエチレンオキシド単位及び／又はプロピレンオキシド単位、好ましくは５〜１０個のエチレンオキシド単位及び／又はプロピレンオキシド単位を有する、Ｃ８〜Ｃ１８脂肪族アルコールアルコキシル化Ｃ２〜Ｃ６アルキルエーテル、より好ましくは１０個のＥＯ単位を有するＣ１２〜Ｃ１４脂肪族アルコールエトキシレートＣ４−アルキルエーテル、最も好ましくは約１０個のＥＯ単位を有するラウリル脂肪族アルコールエトキシブチルエーテルと；
−約０．１質量％以上約２．５質量％以下、より好ましくは約０．５質量％以上約２質量％以下、最も好ましくは約１質量％以上約１．５質量％以下の、少なくとも一つの腐食防止剤、好ましくはベンゾトリアゾール、更に好ましくはPolygon PCG 1419及び／又はPolygon PCG 1831、最も好ましくは少なくとも一つのリン酸二水素メチル及び／又はメチル−１Ｈ−ベンゾトリアゾールと
を含み、成分の質量％は洗浄組成物の合計質量に基づく。
【００９８】
一実施形態によれば、洗浄組成物は、好ましくは濃縮物の形態で：
−約５０質量％以上約９０質量％以下、好ましくは約６０質量％以上約８５質量％以下、より好ましくは約６５質量％以上約８０質量％以下、最も好ましくは約７０質量％以上約７５質量％以下の、ジエチレングリコールモノブチルエーテルと；
−約０質量％以上約５質量％以下、好ましくは約０．５質量％以上約３質量％以下、更に好ましくは約０．７５質量％以上約２．５質量％以下、より好ましくは約１質量％以上約２質量％以下、最も好ましくは約１．６質量％以上約１．８質量％以下の、少なくとも一つのＣ２〜Ｃ８有機酸、より好ましくはクエン酸と；
−約０質量％以上約５質量％以下、好ましくは約０．３５質量％以上約３．５質量％以下、より好ましくは約０．７質量％以上約２．８質量％以下、最も好ましくは約１．４質量％以上約２質量％以下の、少なくとも一つの非イオン性界面活性剤、好ましくは、３〜１５個のエチレンオキシド単位及び／又はプロピレンオキシド単位、好ましくは５〜１０個のエチレンオキシド単位及び／又はプロピレンオキシド単位を有する、Ｃ８〜Ｃ１８脂肪族アルコールアルコキシル化Ｃ２〜Ｃ６アルキルエーテル、より好ましくは１０個のＥＯ単位を有するＣ１２〜Ｃ１４脂肪族アルコールエトキシレートＣ４−アルキルエーテル、最も好ましくは約１０個のＥＯ単位を有するラウリル脂肪族アルコールエトキシブチルエーテルと；
−約０質量％以上約５質量％以下、好ましくは約０．０５質量％以上約１質量％以下、より好ましくは約０．１質量％以上約０．６質量％以下、最も好ましくは約０．２質量％以上約０．５質量％以下の、少なくとも一つの封鎖剤、より好ましくはテトラナトリウムＮ，Ｎ−ビス（カルボキシラトメチル）−Ｌ−グルタメート（ＧＬＤＡ）と；
−約０質量％以上約３質量％以下、好ましくは約０．１質量％以上約２．５質量％以下、より好ましくは約０．５質量％以上約２質量％以下、最も好ましくは約１質量％以上約１．５質量％以下の、少なくとも一つの腐食防止剤、好ましくは、ベンゾトリアゾール、更に好ましくはPolygon PCG 1419及び／又はPolygon PCG 1831、最も好ましくは少なくとも一つのリン酸二水素メチル及び／又はメチル−１Ｈ−ベンゾトリアゾールと；
−１００質量％まで加えられた水と
を含み、成分の質量％は洗浄組成物の合計質量に基づき、洗浄組成物の全ての成分の質量％は１００質量％を超えないよう選択される。
【００９９】
即使用可能組成物
洗浄組成物は、希釈された、又はいわゆる「即使用可能」組成物の形態で存在することができる。希釈組成物は、例えば水、例えば脱イオン水、都市水、又は水道水と、一つ又は複数の濃縮物とを組み合わせることによって、濃縮物から導いてもよい。いわゆる即使用可能組成物を処理して、硬度を低減してもよい。
【０１００】
酸性源、及び溶媒、好ましくは水は、希釈された好ましくは水性の洗浄組成物の液体組成物が、ｐＨ約４．５〜ｐＨ約６．０、又はｐＨ約５〜ｐＨ約５．５のｐＨを有するように添加してもよい。
【０１０１】
一つの側面によれば、濃縮洗浄組成物は、溶媒、好ましくは水で、約１．０質量％〜約１０質量％、好ましくは約２．０質量％〜５．５質量％の「即使用可能溶液」とも呼ばれる希釈洗浄組成物に希釈することができる。
【０１０２】
溶媒、好ましくは水は、洗浄組成物に１００質量％まで加えられ、成分の質量％は、洗浄組成物の合計質量に基づいて、洗浄組成物の全ての成分の質量％が１００質量％を超えないよう選択される。
【０１０３】
本発明の組成物の成分の実際の濃度は、その組成物の意図する用途に依存することを理解されたい。
【０１０４】
一つの側面によれば、洗浄組成物は、少なくとも一つの溶媒、好ましくは水で、１０〜１０００倍、好ましくは２０〜５００倍、更に好ましくは３０〜２００倍、より好ましくは４０〜１５０倍、最も好ましくは５０〜１００倍に希釈して、希釈洗浄組成物を得ることができる。
【０１０５】
希釈洗浄組成物は、約１質量％以上約２質量％以下、好ましくは約１．２質量％以上約１．８質量％以下、より好ましくは約１．３質量％以上約１．６質量％以下、最も好ましくは約１．４質量％以上約１．５質量％以下のジエチレングリコールモノブチルエーテルを含んでもよく、成分の質量％は洗浄組成物の合計質量に基づく。
【０１０６】
一つの側面によれば、希釈組成物は：
−約１質量％以上約２質量％以下、好ましくは約１．２質量％以上約１．８質量％以下、より好ましくは約１．３質量％以上約１．６質量％以下、最も好ましくは約１．４質量％以上約１．５質量％以下のジエチレングリコールモノブチルエーテルと；
−約０．０１質量％以上約０．０６質量％以下、更に好ましくは約０．０１５質量％以上約０．０５質量％以下、より好ましくは約０．０２質量％以上約０．０４質量％以下、最も好ましくは約０．０３質量％以上約０．０４質量％以下の、少なくとも一つのＣ２〜Ｃ８有機酸、より好ましくはクエン酸と
を含んでもよく、成分の質量％は洗浄組成物の合計質量に基づく。
【０１０７】
他の側面によれば、希釈組成物は：
−約１質量％以上約２質量％以下、好ましくは約１．２質量％以上約１．８質量％以下、より好ましくは約１．３質量％以上約１．６質量％以下、最も好ましくは約１．４質量％以上約１．５質量％以下のジエチレングリコールモノブチルエーテルと；
−約０．０１質量％以上約０．０６質量％以下、更に好ましくは約０．０１５質量％以上約０．０５質量％以下、より好ましくは約０．０２質量％以上約０．０４質量％以下、最も好ましくは約０．０３質量％以上約０．０４質量％以下の、少なくとも一つのＣ２〜Ｃ８有機酸、より好ましくはクエン酸と；
−約０．００７質量％以上約０．０７質量％以下、更に好ましくは約０．０１４質量％以上約０．０６質量％以下、最も好ましくは約０．０２８質量％以上約０．０４質量％以下の、少なくとも一つの非イオン性界面活性剤、好ましくは、３〜１５個のエチレンオキシド単位及び／又はプロピレンオキシド単位、好ましくは５〜１０個のエチレンオキシド単位及び／又はプロピレンオキシド単位を有する、Ｃ８〜Ｃ１８脂肪族アルコールアルコキシル化Ｃ２〜Ｃ６アルキルエーテル、より好ましくは１０個のＥＯ単位を有するＣ１２〜Ｃ１４脂肪族アルコールエトキシレートＣ４−アルキルエーテル、最も好ましくは約１０個のＥＯ単位を有するラウリル脂肪族アルコールエトキシブチルエーテルと
を含んでもよく、成分の質量％は洗浄組成物の合計質量に基づく。
【０１０８】
他の側面によれば、希釈組成物は：
−約１質量％以上約２質量％以下、好ましくは約１．２質量％以上約１．８質量％以下、より好ましくは約１．３質量％以上約１．６質量％以下、最も好ましくは約１．４質量％以上約１．５質量％以下のジエチレングリコールモノブチルエーテルと；
−約０．０１質量％以上約０．０６質量％以下、更に好ましくは約０．０１５質量％以上約０．０５質量％以下、より好ましくは約０．０２質量％以上約０．０４質量％以下、最も好ましくは約０．０３質量％以上約０．０４質量％以下の、少なくとも一つのＣ２〜Ｃ８有機酸、より好ましくはクエン酸と；
−約０．００７質量％以上約０．０７質量％以下、更に好ましくは約０．０１４質量％以上約０．０６質量％以下、最も好ましくは約０．０２８質量％以上約０．０４質量％以下の、少なくとも一つの非イオン性界面活性剤、好ましくは、３〜１５個のエチレンオキシド単位及び／又はプロピレンオキシド単位、好ましくは５〜１０個のエチレンオキシド単位及び／又はプロピレンオキシド単位を有する、Ｃ８〜Ｃ１８脂肪族アルコールアルコキシル化Ｃ２〜Ｃ６アルキルエーテル、より好ましくは１０個のＥＯ単位を有するＣ１２〜Ｃ１４脂肪族アルコールエトキシレートＣ４−アルキルエーテル、最も好ましくは約１０個のＥＯ単位を有するラウリル脂肪族アルコールエトキシブチルエーテルと；
−約０．００１質量％以上約０．０２質量％以下、更に好ましくは約０．００２質量％以上約０．０１２質量％以下、最も好ましくは約０．００４質量％以上約０．０１質量％以下の、少なくとも一つの封鎖剤、より好ましくはテトラナトリウムＮ，Ｎ−ビス（カルボキシラトメチル）−Ｌ−グルタメート（ＧＬＤＡ）と
を含んでもよく、成分の質量％は洗浄組成物の合計質量に基づく。
【０１０９】
他の側面によれば、希釈組成物は：
−約１質量％以上約２質量％以下、好ましくは約１．２質量％以上約１．８質量％以下、より好ましくは約１．３質量％以上約１．６質量％以下、最も好ましくは約１．４質量％以上約１．５質量％以下のジエチレングリコールモノブチルエーテルと；
−約０．０１質量％以上約０．０６質量％以下、更に好ましくは約０．０１５質量％以上約０．０５質量％以下、より好ましくは約０．０２質量％以上約０．０４質量％以下、最も好ましくは約０．０３質量％以上約０．０４質量％以下の、少なくとも一つのＣ２〜Ｃ８有機酸、より好ましくはクエン酸と；
−約０．００７質量％以上約０．０７質量％以下、更に好ましくは約０．０１４質量％以上約０．０６質量％以下、最も好ましくは約０．０２８質量％以上約０．０４質量％以下の、少なくとも一つの非イオン性界面活性剤、好ましくは、３〜１５個のエチレンオキシド単位及び／又はプロピレンオキシド単位、好ましくは５〜１０個のエチレンオキシド単位及び／又はプロピレンオキシド単位を有する、Ｃ８〜Ｃ１８脂肪族アルコールアルコキシル化Ｃ２〜Ｃ６アルキルエーテル、より好ましくは１０個のＥＯ単位を有するＣ１２〜Ｃ１４脂肪族アルコールエトキシレートＣ４−アルキルエーテル、最も好ましくは約１０個のＥＯ単位を有するラウリル脂肪族アルコールエトキシブチルエーテルと；
−約０．００２質量％以上約０．０５質量％以下、更に好ましくは約０．０１質量％以上約０．０４質量％以下、最も好ましくは約０．０２質量％以上約０．０３質量％以下の、少なくとも一つの腐食防止剤、好ましくは、ベンゾトリアゾール、更に好ましくはPolygon PCG 1419及び／又はPolygon PCG 1831、最も好ましくは少なくとも一つのリン酸二水素メチル及び／又はメチル−１Ｈ−ベンゾトリアゾールと
を含んでもよく、成分の質量％は洗浄組成物の合計質量に基づく。
【０１１０】
他の側面によれば、希釈洗浄組成物は：
−約１質量％以上約２質量％以下、好ましくは約１．２質量％以上約１．８質量％以下、より好ましくは約１．３質量％以上約１．６質量％以下、最も好ましくは約１．４質量％以上約１．５質量％以下のジエチレングリコールモノブチルエーテルと；
−約０質量％以上約０．１質量％以下、好ましくは約０．０１質量％以上約０．０６質量％以下、更に好ましくは約０．０１５質量％以上約０．０５質量％以下、より好ましくは約０．０２質量％以上約０．０４質量％以下、最も好ましくは約０．０３質量％以上約０．０４質量％以下の、少なくとも一つのＣ２〜Ｃ８有機酸、より好ましくはクエン酸と；
−約０質量％以上約０．１質量％以下、好ましくは約０．００７質量％以上約０．０７質量％以下、更に好ましくは約０．０１４質量％以上約０．０６質量％以下、最も好ましくは約０．０２８質量％以上約０．０４質量％以下の、少なくとも一つの非イオン性界面活性剤、好ましくは、３〜１５個のエチレンオキシド単位及び／又はプロピレンオキシド単位、好ましくは５〜１０個のエチレンオキシド単位及び／又はプロピレンオキシド単位を有する、Ｃ８〜Ｃ１８脂肪族アルコールアルコキシル化Ｃ２〜Ｃ６アルキルエーテル、より好ましくは１０個のＥＯ単位を有するＣ１２〜Ｃ１４脂肪族アルコールエトキシレートＣ４−アルキルエーテル、最も好ましくは約１０個のＥＯ単位を有するラウリル脂肪族アルコールエトキシブチルエーテルと；
−約０質量％以上約０．１質量％以下、好ましくは約０．００１質量％以上約０．０２質量％以下、更に好ましくは約０．００２質量％以上約０．０１２質量％以下、最も好ましくは約０．００４質量％以上約０．０１質量％以下の、少なくとも一つの封鎖剤、より好ましくはテトラナトリウムＮ，Ｎ−ビス（カルボキシラトメチル）−Ｌ−グルタメート（ＧＬＤＡ）と；
−約０質量％以上約０．０６質量％以下、好ましくは約０．００２質量％以上約０．０５質量％以下、より好ましくは約０．０１質量％以上約０．０４質量％以下、最も好ましくは約０．０２質量％以上約０．０３質量％以下の、少なくとも一つの腐食防止剤、好ましくは、ベンゾトリアゾール、更に好ましくはPolygon PCG 1419及び／又はPolygon PCG 1831、最も好ましくは少なくとも一つのリン酸二水素メチル及び／又はメチル−１Ｈ−ベンゾトリアゾールと；
１００質量％まで加えられた水と
を含んでもよく、成分の質量％は洗浄組成物の合計質量に基づき、洗浄組成物の全ての成分の質量％は１００質量％を超えないよう選択される。
【０１１１】
防感染組成物の使用
表面、例えば硬質表面及び／又は軟質表面から、アクリルベースポリマー（コーティング？）又はポリマー材料、好ましくは、そのような材料を使用する際に用いる容器及び他の設備からアクリルベースポリマーコーティング材料、例えばアクリルベースポリマー錠剤コーティングを除去するために、洗浄組成物を使用することができる。様々なアクリルベースポリマー材料は、薬物のための遅延放出性コーティング、例えば消化器官の遅延放出性、並びに例えば食品、ヒト及び動物の消費のための材料のコーティングとして有用である。そのようなコーティングされた製品の製造において使用される処理装置は、多くの場合、そのようなポリマー材料によってひどく覆われる。繰り返される洗浄作業の一部として、問題の装置部品は運転を休止して処理され、設備の表面、例えば内部又は内側の表面上に位置するアクリルベースポリマー材料を除去する。
【０１１２】
洗浄組成物の利点は、増大した洗浄活性のため、洗浄が必要な設備の表面は、分解する必要なく、例えばその場に留まることができるということである。
【０１１３】
表面からアクリルベースポリマー材料を除去する方法は、一般に、ａ）洗浄すべき上記表面上に位置する上記アクリルベースポリマー材料を洗浄組成物と接触させることと、ｂ）上記表面から上記アクリルベースポリマー材料を洗浄組成物とともに除去することとを含んでいる。
【０１１４】
洗浄組成物とともに除去可能な、ポリマー材料とも呼ばれるアクリルベースポリマーは、様々なそのような材料から選択してもよい。
【０１１５】
特に適切なアクリルベースポリマー材料は、薬物のための遅延放出性コーティング、例えば消化器官の遅延放出性コーティングに有用なものである。そのような材料は、好ましくは性質としてアニオン性である。
【０１１６】
アクリルベース材料の非常に有用な分類の一つは、アクリル酸、アクリル酸エステル、メタクリル酸及び／又はメタクリル酸エステル、好ましくはメタクリル酸及び／又はメタクリル酸エステルから選択される一つ又は複数のモノマー；並びにこれらの混合物から導かれるポリマーである。
【０１１７】
モノマーとして使用することができるメタクリル酸エステルの中でも、メタクリル酸メチルエステルは、洗浄組成物で非常に効果的に除去されるアクリルベースポリマー材料を提供する。アクリルベースポリマー材料は、ｐＨ約５以下の緩衝水溶液中に不溶性であってもよい。アクリルベースポリマー材料は、そのような材料からできた薬物コーティングの弾性を増加させるのに効果的な量の可塑剤成分を含んでもよい。有用な可塑剤成分の例としては、ポリエチレングリコール、ジブチルフタル酸エステル、グリセロールトリアセテート、ヒマシ油、１，２−プロピレングリコール、クエン酸エステル、例えばクエン酸トリエチル、並びにこれらの混合物が挙げられる。
【０１１８】
アクリルベースポリマーとしては、医薬品用途のためのポリ（メタ）アクリレートが挙げられる。そのようなポリ（メタ）アクリレートは、例えば、Evonik Industriesから入手可能な商品名Eudragit（登録商標）の下で、本業界において世界的に知られている。Eudragit（登録商標）の下、Eudragit（登録商標）L及びEudragit（登録商標）R、例えば約５％の親水基を有するEudragit（登録商標）RS 30 D、及び約１０％の親水基を有するEudragit（登録商標）RL 30Dの群のような多くのポリ（メタ）アクリレートが入手可能である。
【０１１９】
一つの一般的な実施形態において、表面上に位置するそのようなアクリルベースポリマー材料を除去する方法は、この材料を、洗浄組成物、好ましくは希釈洗浄組成物と接触させることを含む。
【０１２０】
洗浄組成物は、アクリルベースポリマー材料とその材料が位置する表面との間の接着性を低減して、アクリルベースポリマー材料の可溶化を促進するのに効果的な量で使用される。本組成物の成分のそれぞれは、洗浄組成物中に好ましくは可溶性である。
【０１２１】
本洗浄組成物は、設備の表面上に位置するアクリルベースポリマー材料を除去するのに効果的な条件で、そのようなポリマー材料に接触してもよい。洗浄組成物は、おそらく約２３℃の室温以上約７５℃以下で使用されるが、しかしながら、そのような接触の間、比較的高温、好ましくは約５０℃以上約８０℃未満、好ましくは約６０℃以上７５℃以下、最も好ましくは７５℃で洗浄組成物を使用することが好ましい。そのような高温を得るため、例えば、洗浄すべき設備内に組成物を導入する前に、組成物に熱交換器を通過させることが望ましい。
【０１２２】
接触時間は、例えば、使用される特定の組成及び接触条件、並びに関連する特定の除去用途に大きく依存して様々である。好ましくは、そのような接触は、約３０秒〜約２時間、又は約１分〜約１時間、好ましくは１０分〜３０分の時間で起こる。更に、洗浄組成物は、一度だけ（once-thru basis）の使用、すなわち、組成物は洗浄すべき設備を一回だけ通過することができ、又は洗浄すべき設備を通して再循環若しくはリサイクルして戻すことができる。
【０１２３】
特に有用な実施形態において、洗浄組成物は、第一の時間、好ましくは約１分〜約３０分、又は更に好ましくは約５分〜２０分、又は更に好ましくは約１０分〜約１５分、「一度」のみ使用される。
【０１２４】
一つの側面によれば、その後、洗浄組成物は、第二の時間、好ましくは約３０秒〜約２時間、又は約１分〜約１時間、好ましくは１０分〜３０分又はそれ以上、洗浄すべき設備を通して再循環させることによって使用してもよい。第一の時間の間、アクリルベースポリマー材料の比較的大きな粒子は、洗浄組成物とともに設備表面又は洗浄すべき表面から除去されてもよい。取り扱いの問題、再析の問題、及び他の併発症を回避するため、これらの比較的大きな粒子を、粒子が存在する組成物と共に工程から除去してもよい。この第一の時間の後、除去されるアクリルベースポリマー材料は、全てではないにしても多くが洗浄組成物中に可溶化される。洗浄組成物中へのアクリルベースポリマー材料の溶解性をより利用し、好ましくは洗浄組成物を比較的高温に維持するために、例えば第二の時間の間に、アクリルベースポリマー材料含有組成物は、好ましくは熱交換器を通して、アクリルベースポリマー材料除去の所望のレベルが得られるまで、洗浄中の設備へと再循環又はリサイクルして戻す（再導入する）ことができる。
【０１２５】
充分な除去を達成したあと、設備を起動させて運転へと戻すことに備えて、洗浄された装置部品を、好ましくは水で、より好ましくは脱イオン水ですすいでもよい。
【０１２６】
以下の非限定的な例は、本発明のいくつかの利点を例示する。
【実施例】
【０１２７】
例Ｅ１〜Ｅ３及びＣ１〜Ｃ３
下表Ｉに掲げるように成分を混合することによって、本発明の例Ｅ１〜Ｅ３及び比較例Ｃ１〜Ｃ３の組成物を調製した。
【０１２８】
【表１】
2017513988.tif 000002
【０１２９】
＊１＝洗浄組成物の質量％は、成分の合計質量に基づく
＊２＝脱イオン水
＊３＝無水クエン酸
【０１３０】
メタクリル酸とメタクリル酸メチルエステルとから合成された、５％の親水基を有するアニオン性ポリマーであるEudragit（登録商標）RS 30D＊を３０質量％含む２ｍＬの水性懸濁液で、１００ｍｍ×５０ｍｍ×１．０ｍｍの６枚の軟鋼のスチール板を濡らした。Eudragit（登録商標）RS 30D試験溶液＊を含む２ｍＬの水性懸濁液を、プレートの上外面領域の低部の７ｍｍ×５０ｍｍの領域に置き、それによって、プレートの上外面領域の上部３ｍｍ×５０ｍｍを水性懸濁液の試験溶液から離して保った。この後、約２３℃で約１５時間乾燥させた。
【０１３１】
＊３０％の活性物質と、２０％の可塑剤のクエン酸トリエチルとを添加することによって、水性Eudragit RS 30 D試験溶液を調製した。
【０１３２】
Eudragit（登録商標）RS 30Dポリマーは、（Evonik Industriesによって製造され）Rohm Pharmaによって商標Eudragit（登録商標）RS 30Dの下で販売されており、医薬品業界において消化器官のフィルムコーティングとして用いられている。Eudragit（登録商標）RS 30Dは可溶性に劣り、親水性に劣る性質のため除去するのがより困難であるので、約１０％の親水基を有するEudragit Lの代わりに、約５％の親水基を有するEudragit（登録商標）RS 30Dを使用した。
【０１３３】
軟鋼は、約０．２５質量以下％の炭素、約０．４質量％〜約０．７質量％のマンガン、約０．１質量％〜約０．５質量％のケイ素、及びいくつかの痕跡量の他の元素、例えばリンを典型的に有する、炭素鋼である。
【０１３４】
６枚のコーティングされた軟鋼板を互いに離して、脱イオン水とともに上記の表Ｉに掲げたＥ１〜Ｅ３及びＣ１〜Ｃ３をそれぞれ２質量％含む希釈洗浄組成物を９００ｍＬ含むビーカー内に直立させて浸漬させた。ビーカーを、温度約７８℃にした水浴内に置いた。Euragit（登録商標）RS 30Dを塗布した領域が完全に洗浄組成物内に直立して浸かるように、スチール板を浸漬させた。洗浄組成物内にプレートを置く前に、洗浄組成物の温度を約７５℃に調整し、その温度に保った。Ｃ１について２０分後、Ｅ１について１２分後、Ｃ２について２０分後、Ｅ２について５分後、Ｃ３について２０分後、Ｅ３について１０分後にプレートを洗浄組成物から除去した。次に、ＣａＣＯ３のｍｇ／Ｌとして測定される水硬度１６°ｄＨの水道水でプレートを５回すすぎ、次に脱イオン水で５回すすいだ。その後、プレートを約２３℃で約１５時間乾燥させた。次に、プレートを検査して、６枚のプレートからコーティングがどれほど除去されたか測定した。
【０１３５】
試験評価は視覚的であり、これらの試験結果は以下の通りであった：
Ｅ１−軟鋼板は１２分後にきれいであった／コーティングの約９５％の除去。
Ｅ２−軟鋼板は５分後にきれいであった／コーティングの約９９％の除去。
Ｅ３−軟鋼板は１０分後にきれいであった／コーティングの約９０％の除去。
Ｃ１−軟鋼板は２０分後にきれいではなかった／コーティングの約８０％未満の除去
Ｃ２−軟鋼板は２０分後にきれいではなかった／コーティングの約１０％未満の除去。
Ｃ３−軟鋼板は２０分後にきれいではなかった／コーティングの約７０％未満の除去。
【０１３６】
この結果は、トリエチレングリコールモノエチルエーテルと比較して、ジエチレングリコールモノブチルエーテルの使用は、アクリルベースポリマー材料を除去するための改善された洗浄効果を有することを実証した。
【０１３７】
例Ｅ４、及びＣ４〜Ｃ８
下表ＩＩに掲げるような成分を混合することによって、本発明の例Ｅ４及び比較例Ｃ４〜Ｃ８の組成物を調製した。
【０１３８】
【表２】
2017513988.tif 000003
【０１３９】
＊１＝洗浄組成物の質量％は、成分の合計質量に基づく
＊２＝脱イオン水
＊３＝無水クエン酸
＊４＝約１０個のＥＯ単位を有するラウリル脂肪族アルコールエトキシブチルエーテル
＊５＝テトラナトリウムＮ，Ｎ−ビス（カルボキシラトメチル）−Ｌ−グルタメート（ＧＬＤＡ）
＊６＝１５〜２５％のリン酸二水素メチルを含む中和されたPolygon PCG 1419、及び約２％以下のメチル−１Ｈ−ベンゾトリアゾールを含むPolygon PCG 1831
【０１４０】
Eudragit（登録商標）RS 30D試験溶液＊を含む２ｍＬの水性懸濁液で、１００ｍｍ×５０ｍｍ×１．０ｍｍの６枚の軟鋼のスチール板を濡らした。Eudragit（登録商標）RS 30D試験溶液＊を含む２ｍＬの水性懸濁液を、６枚のプレートの上外面領域の低部の７ｍｍ×５０ｍｍにそれぞれ置いて、それによって、プレートの上外面領域の上部３ｍｍ×５０ｍｍを、試験溶液＊を含む水性懸濁液から離して保った。この後、約２３℃で約１５時間乾燥させた。その後、６枚のコーティングされた軟鋼板を、それぞれ、脱イオン水とともに上記の表ＩＩに掲げたＥ４及びＣ４〜Ｃ８の２質量％を含む希釈洗浄組成物の９００ｍＬを含むビーカー内にそれぞれ置いた。６つのビーカーを、約７８℃の温度にした水浴中に前に置いた。洗浄組成物の６つのビーカー内にプレートを置く前に、洗浄組成物Ｅ４及びＣ４〜Ｃ８の温度を約７５℃に調整し、その温度に保った。Euragit（登録商標）RS 30Dを塗布した領域が完全に洗浄組成物Ｅ４及びＣ４〜Ｃ８に直立して浸かるように、６枚のスチール板を６つのビーカーの中にそれぞれ一つづつ浸漬させた。６枚のプレートを、Ｅ４及びＣ４〜Ｃ８の洗浄組成物中に、約７５℃で２０分間保った。その後、６枚のコーティングされた軟鋼板を洗浄組成物から除去した。次に、ＣａＣＯ３のｍｇ／Ｌとして測定される１６°ｄＨの水硬度を有する水道で、６枚のプレートを５回すすぎ、次にそれぞれ脱イオン水で５回すすいだ。その後、６枚のプレートを約２３℃で約１５時間乾燥させ、その後検査して、６枚の試験プレートからコーティングがどれほど除去されたか測定した。
【０１４１】
３０％の活性物質と、２０％の可塑剤のクエン酸トリエチルとを添加することによって、＊水性Eudragit RS 30 D試験溶液を調製した。
【０１４２】
試験評価は視覚的であり、これらの試験結果は以下の通りであった：
Ｅ４−軟鋼板は２０分後にきれいであった／コーティングの約８０％超の除去。
Ｃ４−軟鋼板は２０分後にきれいではなかった／コーティングの約６５％未満の除去
Ｃ５−軟鋼板は２０分後にきれいではなかった／コーティングの約７５％未満の除去
Ｃ６−軟鋼板は２０分後にきれいではなかった／コーティングの約１０％未満の除去
Ｃ７−軟鋼板は２０分後にきれいではなかった／コーティングの約６５％未満の除去
Ｃ８−軟鋼板は２０分後にきれいではなかった／コーティングの約７５％未満の除去
【０１４３】
この結果は、例Ｅ４のジエチレングリコールモノブチルエーテルの使用は、Ｃ４〜Ｃ８と比較して、アクリルベースポリマー材料を除去するための洗浄性能に関して優れることを実証した。
【０１４４】
例Ｅ５及びＣ９〜Ｃ１３
下表ＩＩＩに掲げるような成分を混合することによって、本発明の例Ｅ５及び比較例Ｃ９〜Ｃ１３の組成物を調製した。
【０１４５】
【表３】
2017513988.tif 000004
【０１４６】
＊１＝洗浄組成物の質量％は、成分の合計質量に基づく
＊２＝脱イオン水
＊３＝無水クエン酸
＊４＝約１０個のＥＯ単位を有するラウリル脂肪族アルコールエトキシブチルエーテル
＊５＝テトラナトリウムＮ，Ｎ−ビス（カルボキシラトメチル）−Ｌ−グルタメート（ＧＬＤＡ）
＊６＝１５〜２５％のリン酸二水素メチルを含む中和されたPolygon PCG 1419、及び約２％以下のメチル−１Ｈ−ベンゾトリアゾールを含むPolygon PCG 1831
【０１４７】
Eudragit（登録商標）RS 30D試験溶液＊を含む２ｍＬの水性懸濁液によって、１００ｍｍ×５０ｍｍ×１．０ｍｍの６枚の軟鋼のスチール板を濡らした。Eudragit（登録商標）RS 30D試験溶液＊を含む２ｍＬの水性懸濁液を、６枚のプレートの上外面領域の低部の７ｍｍ×５０ｍｍにそれぞれ置いて、それによって、プレートの上外面領域の上部３ｍｍ×５０ｍｍを、試験溶液＊を含む水性懸濁液から離して保った。この後、約２３℃で約１５時間乾燥させた。その後、６枚のコーティングされた軟鋼板を、それぞれ、脱イオン水とともに上記の表ＩＩＩに掲げたＥ５及びＣ９〜Ｃ１３の２質量％を含む希釈洗浄組成物の９００ｍＬを含むビーカー内にそれぞれ置いた。６つのビーカーを、約７８℃の温度にした水浴中に前に置いた。洗浄組成物の６つのビーカー内にプレートを置く前に、洗浄組成物Ｅ５及びＣ９〜Ｃ１３の温度を約７５℃に調整し、その温度に保った。Euragit（登録商標）RS 30Dを塗布した領域が完全に洗浄組成物Ｅ５及びＣ９〜Ｃ１３に直立して浸かるように、６枚のスチール板を６つのビーカーの中にそれぞれ一つづつ浸漬させた。６枚のプレートを、Ｅ５及びＣ９〜Ｃ１３の洗浄組成物中に、約７５℃で２０分間保った。その後、６枚のコーティングされた軟鋼板を洗浄組成物から除去した。次に、ＣａＣＯ３のｍｇ／Ｌとして測定される１６°ｄＨの水硬度を有する水道で、６枚のプレートを５回すすぎ、次にそれぞれ脱イオン水で５回すすいだ。その後、６枚のプレートを約２３℃で約１５時間乾燥させ、その後検査して、６枚の試験プレートからコーティングがどれほど除去されたか測定した。
【０１４８】
３０％の活性物質と、２０％の可塑剤のクエン酸トリエチルとを添加することによって、＊水性Eudragit RS 30 D試験溶液を調製した。
【０１４９】
試験評価は視覚的であり、これらの試験結果は以下の通りであった：
Ｅ５−軟鋼板は２０分後にきれいであった／コーティングの約９５％超の除去。
Ｃ９−軟鋼板は２０分後にきれいではなかった／コーティングの約７０％未満の除去
Ｃ１０−軟鋼板は２０分後にきれいではなかった／コーティングの約８５％未満の除去
Ｃ１１−軟鋼板は２０分後にきれいではなかった／コーティングの約１５％未満の除去
Ｃ１２−軟鋼板は２０分後にきれいではなかった／コーティングの約７０％未満の除去
Ｃ１３−軟鋼板は２０分後にきれいではなかった／コーティングの約８０％未満の除去
【０１５０】
この結果は、例Ｅ５のジエチレングリコールモノブチルエーテルの使用は、Ｃ９〜Ｃ１９と比較して、アクリルベースポリマー材料を除去するための洗浄性能に関して優れることを実証した。
【０１５１】
例Ｅ６及びＣ１４〜Ｃ１８
下表ＶＩに掲げるような成分を混合することによって、本発明の例Ｅ６及び比較例Ｃ１４〜Ｃ１８の組成物を調製した。
【０１５２】
【表４】
2017513988.tif 000005
【０１５３】
＊１＝洗浄組成物の質量％は、成分の合計質量に基づく
＊２＝脱イオン水
＊３＝無水クエン酸
＊４＝約１０個のＥＯ単位を有するラウリル脂肪族アルコールエトキシブチルエーテル
＊５＝テトラナトリウムＮ，Ｎ−ビス（カルボキシラトメチル）−Ｌ−グルタメート（ＧＬＤＡ）
＊６＝１５〜２５％のリン酸二水素メチルを含む中和されたPolygon PCG 1419、及び約２％以下のメチル−１Ｈ−ベンゾトリアゾールを含むPolygon PCG 1831
【０１５４】
Eudragit（登録商標）RS 30D試験溶液＊を含む２ｍＬの水性懸濁液で、１００ｍｍ×５０ｍｍ×１．０ｍｍの６枚の軟鋼のスチール板を濡らした。Eudragit（登録商標）RS 30D試験溶液＊を含む２ｍＬの水性懸濁液を、６枚のプレートの上外面領域の低部の７ｍｍ×５０ｍｍにそれぞれ置いて、それによって、プレートの上外面領域の上部３ｍｍ×５０ｍｍを、試験溶液＊を含む水性懸濁液から離して保った。この後、約２３℃で約１５時間乾燥させた。その後、６枚のコーティングされた軟鋼板を、それぞれ、脱イオン水とともに上記の表ＩＶに掲げたＥ６及びＣ１４〜Ｃ１８の２質量％を含む希釈洗浄組成物の９００ｍＬを含むビーカー内にそれぞれ置いた。６つのビーカーを、約７８℃の温度にした水浴中に前に置いた。洗浄組成物の６つのビーカー内にプレートを置く前に、洗浄組成物Ｅ６及びＣ１４〜Ｃ１８の温度を約７５℃に調整し、その温度に保った。Euragit（登録商標）RS 30Dを塗布した領域が完全に洗浄組成物Ｅ６及びＣ１４〜Ｃ１８に直立して浸かるように、６枚のスチール板を６つのビーカーの中にそれぞれ一つづつ浸漬させた。６枚のプレートを、Ｅ６及びＣ１４〜Ｃ１８の洗浄組成物中に、約７５℃で約２０分間保った。その後、６枚のコーティングされた軟鋼板を洗浄組成物から除去した。次に、ＣａＣＯ３のｍｇ／Ｌとして測定される１６°ｄＨの水硬度を有する水道で、６枚のプレートを５回すすぎ、次にそれぞれ脱イオン水で５回すすいだ。その後、６枚のプレートを約２３℃で約１５時間乾燥させ、その後検査して、６枚の試験プレートからコーティングがどれほど除去されたか測定した。
【０１５５】
３０％の活性物質と、２０％の可塑剤のクエン酸トリエチルとを添加することによって、＊水性Eudragit RS 30 D試験溶液を調製した。
【０１５６】
試験評価は視覚的であり、これらの試験結果は以下の通りであった：
Ｅ６−軟鋼板は２０分後にきれいであった／コーティングの約１００％の除去。
Ｃ１４−軟鋼板は２０分後にきれいではなかった／コーティングの約７５％未満の除去
Ｃ１５−軟鋼板は２０分後にきれいではなかった／コーティングの約９０％未満の除去
Ｃ１６−軟鋼板は２０分後にきれいではなかった／コーティングの約１０％未満の除去
Ｃ１７−軟鋼板は２０分後にきれいではなかった／コーティングの約７５％未満の除去
Ｃ１８−軟鋼板は２０分後にきれいではなかった／コーティングの約８５％未満の除去
【０１５７】
この結果は、例Ｅ６のジエチレングリコールモノブチルエーテルの使用は、Ｃ１４〜Ｃ１８と比較して、アクリルベースポリマー材料を除去するための洗浄性能に関して優れることを実証した。
【０１５８】
材料適合性試験
この試験方法は、洗浄組成物Ｃ１９と比較して、Ｅ７、Ｅ８、及びＥ９の強化された腐食抑制を評価する基礎を提供する。
【０１５９】
下表Ｖに掲げるような成分を混合することによって、本発明の例Ｅ７、Ｅ８、及びＥ９、並びに比較例Ｃ１９の組成物を調製した。
【０１６０】
【表５】
2017513988.tif 000006
【０１６１】
＊１＝洗浄組成物の質量％は、成分の合計質量に基づく
＊２＝脱イオン水
＊３＝無水クエン酸
＊４＝約１０個のＥＯ単位を有するラウリル脂肪族アルコールエトキシブチルエーテル
＊５＝テトラナトリウムＮ，Ｎ−ビス（カルボキシラトメチル）−Ｌ−グルタメート（ＧＬＤＡ）
＊６＝１５〜２５％のリン酸二水素メチルを含む中和されたPolygon PCG 1419、及び約２％以下のメチル−１Ｈ−ベンゾトリアゾールを含むPolygon PCG 1831
【０１６２】
腐食試験設備
それぞれの試験条件のための３５０ｍＬ広首スクリューキャップフラスコ
アセトン
１００ｍｍ×５０ｍｍ×１．０ｍｍのアルミニウム試験プレート
１００ｍｍ×５０ｍｍ×１．０ｍｍの軟鋼試験プレート
１００ｍｍ×５０ｍｍ×１．０ｍｍの銅試験プレート
１００ｍｍ×５０ｍｍ×１．０ｍｍの真鍮試験プレート
（アルミニウム、軟鋼、銅、及び真鍮試験プレートは使用前にアセトンで洗浄した）
きれいなペーパータオル
ストップウォッチ
乾燥オーブン
０．０００１の位まで計量することができる分析天秤
【０１６３】
試験方法
洗浄組成物Ｅ７、Ｅ８、Ｅ９、及びＣ１９を、脱イオン水で２質量％の洗浄溶液へと希釈した。１００ｍｍ×５０ｍｍ×１．０ｍｍのアルミニウム、軟鋼、銅、及び真鍮試験プレートの質量を記録し、次にそれぞれ３５０ｍＬ広首スクリューキャップフラスコの底面の中心領域に置いた。アルミニウム、軟鋼、銅、及び真鍮試験プレートを完全に水に沈めた。その後、温度約２３℃の上記２質量％の洗浄溶液Ｅ７、Ｅ８、Ｅ９、及びＣ１９で、それぞれの広首スクリューキャップフラスコを上まで満たした。広首スクリューキャップフラスコをキャップで閉じ、温度約２３℃で７日間置いた。その後、アルミニウム、軟鋼、銅、及び真鍮試験プレートを除去し、脱イオン水ですすぎ、きれいなペーパータオル上に置き、温度約２３℃で乾燥させた。次にアルミニウム、軟鋼、銅、及び真鍮試験プレートを計量し、質量は小数点以下４桁（fourth place）までとった。その後、アルミニウム、軟鋼、銅、及び真鍮試験プレートを、広首スクリューキャップフラスコ中の新しい２質量％の洗浄溶液中に、更に７日間戻した。その後、アルミニウム、軟鋼、銅、及び真鍮試験プレートを除去し、脱イオン水ですすぎ、きれいなペーパータオル上に置き、温度約２３℃で乾燥させた。質量の減少を算出した。それぞれの実験について３つの試験を行い、平均質量減少を決定した。
【０１６４】
これらの試験の％における質量変化の結果は、以下の通りであった：
軟鋼
Ｅ７−平均質量減少０．００７１
Ｅ８−平均質量減少０．１１９４
Ｅ９−平均質量減少０．１８０５
Ｃ１９−平均質量減少１．２２０５
【０１６５】
アルミニウム
Ｅ７−平均質量減少０．０９４５
Ｅ８−平均質量減少０．１２９６
Ｅ９−平均質量減少０．１１１５
Ｃ１９−平均質量減少０．４８０５
【０１６６】
銅
Ｅ７−平均質量減少０．０３９８
Ｅ８−平均質量減少０．００６３
Ｅ９−平均質量減少０．０７６９
Ｃ１９−平均質量減少０．０７０５
【０１６７】
真鍮
Ｅ７−平均質量減少０．０６２０
Ｅ８−平均質量減少０．００５２
Ｅ９−平均質量減少０．０２９３
Ｃ１９−平均質量減少０．１５９４
【０１６８】
この結果は、驚くべきことに、クエン酸を０．９質量％だけ含むＥ９と比較して、１．６質量％のクエン酸を使用するＥ７は改善された腐食抑制効果を有することを実証した。更に、比較例Ｃ１９は、Ｅ７、Ｅ８、及びＥ９と比較して著しく悪い腐食抑制効果を示した。
【０１６９】
例Ｅ８は、腐食防止剤を含まないという点で、Ｅ７及びＥ９とは異なる。Ｅ８は、更に腐食防止剤を有するＥ９と比較して２倍の濃度のクエン酸を有するが、しかしながら、アルミニウムを除く他の金属について、Ｅ８はＥ９より良好な腐食抑制を示した。所定範囲内でクエン酸を増加させると著しい腐食抑制効果を提供することは、いくらか驚くべきことである。
【０１７０】
本明細書中に挙げた全ての刊行物及び特許出願は、本発明が関連する技術分野の当業者の水準を示すものである。様々な特定の好ましい実施形態及び技術に対して本発明を記載した。しかしながら、本発明の範囲を維持しながら多くの変形及び改良を行うことができることを理解されたい。
【手続補正書】
【提出日】平成29年2月6日(2017.2.6)
【手続補正１】
【補正対象書類名】明細書
【補正対象項目名】０１７０
【補正方法】変更
【補正の内容】
【０１７０】
本明細書中に挙げた全ての刊行物及び特許出願は、本発明が関連する技術分野の当業者の水準を示すものである。様々な特定の好ましい実施形態及び技術に対して本発明を記載した。しかしながら、本発明の範囲を維持しながら多くの変形及び改良を行うことができることを理解されたい。以下、本発明の実施形態の例を列記する。
［１］
アクリルベースポリマー材料を除去するための液体洗浄組成物であって：
−ジエチレングリコールモノブチルエーテルと；
−水と；
を含む、液体洗浄組成物。
［２］
−ジエチレングリコールモノブチルエーテルと、
−少なくとも一つのＣ２〜Ｃ１０有機酸と、
−水と
を含む、項目１に記載の洗浄組成物。
［３］
ａ）前記ジエチレングリコールモノブチルエーテルと、ｂ）Ｃ２〜Ｃ８有機酸、好ましくはクエン酸との質量％比は、前記洗浄組成物の合計質量に基づいて、約１５０：１〜約３０：１、好ましくは約１００：１〜約４０：１、より好ましくは約９５：１〜約６０：１、更に好ましくは約９０：１〜約７０：１、最も好ましくは約８５：１〜約８０：１である、項目１又は２に記載の洗浄組成物。
［４］
−ジエチレングリコールモノブチルエーテルと、
−少なくとも一つのＣ２〜Ｃ１０有機酸、好ましくはクエン酸と、
−少なくとも一つの非イオン性界面活性剤、好ましくは１０個のＥＯ単位を有するＣ１２〜Ｃ１４脂肪族アルコールエトキシレートＣ４−アルキルエーテル、最も好ましくは約１０個のＥＯ単位を有するラウリル脂肪族アルコールエトキシブチルエーテルと、
−任意の少なくとも一つの封鎖剤、好ましくはテトラナトリウムＮ，Ｎ−ビス（カルボキシレート−メチル）−Ｌ−グルタメート（ＧＬＤＡ）と
−任意の少なくとも一つの腐食防止剤、好ましくは少なくとも一つのベンゾトリアゾール、及び最も好ましくは少なくとも一つのリン酸二水素メチル及び／又はメチル−１Ｈ−ベンゾトリアゾールと；
−水と
を含む、項目１〜３のいずれか一項に記載の洗浄組成物。
［５］
Ｃ２〜Ｃ１０有機酸が、酢酸、プロピオン酸、イソプロピオン酸、ブタン酸、ペンタン酸、ヘキサン酸、ヘプタン酸、オクタン酸、ノナン酸、デカン酸、グリコール酸、クエン酸、乳酸、酒石酸、フマル酸、リンゴ酸、イタコン酸、アスコルビン酸、安息香酸、サリチル酸、及び／又はコハク酸を含む群から選択され、より好ましくはクエン酸である、項目１〜４のいずれか一項に記載の洗浄組成物。
［６］
界面活性剤、好ましくは非イオン性界面活性剤を更に含み、前記非イオン性界面活性剤は、
（ｉ）約１〜約８モルのエチレンオキシド単位と、８モルのプロピレンオキシド単位とを有する、Ｃ１２〜１８アルキルポリエチレングリコールポリプロピレングリコールエーテル、
（ｉｉ）約１〜約８モルのエチレンオキシド単位と、８モルのブチレンオキシド単位とを有する、Ｃ１２〜１８アルキルポリエチレンポリブチレングリコールエーテル、
（ｉｉｉ）末端封鎖したアルキルポリアルキレングリコール混合エーテル、
（ｉｖ）約１〜約４の重合度を有するＣ８〜１４アルキルポリグルコシド、
（ｖ）約３〜約８個のエチレンオキシド単位を有する、Ｃ１２〜１４アルキルポリエチレングリコール、
（ｖｉ）グルカミド、
（ｖｉｉ）ヒドロキシ混合エーテル、
（ｖｉｉｉ）脂肪族アルコールアルコキシレート、
（ｉｘ）より好ましくは、約３〜約１５個のエチレンオキシド単位及び／又はプロピレンオキシド単位、好ましくは約５〜約１０個のエチレンオキシド単位及び／又はプロピレンオキシド単位を有する、Ｃ８〜Ｃ１８脂肪族アルコールアルコキシレートＣ２〜Ｃ６アルキルエーテル、
（ｘ）最も好ましくは、Ｃ８〜Ｃ１８脂肪族アルコールＣ２〜Ｃ１０アルキルポリグリコシド、及びその混合物、約１０個のＥＯ単位を有するラウリル脂肪族アルコールエトキシブチルエーテル
からなる群から選択される、項目１〜５のいずれか一項に記載の洗浄組成物。
［７］
グルコン酸ナトリウム、ジエチレントリアミン五酢酸（ＤＴＰＡ）のペンタナトリウム塩、グルコヘプトン酸ナトリウム、エチレンジアミン四酢酸（ＥＤＴＡ）の塩、エチレンジアミン四酢酸の塩、ヒドロキシエチルエチレンジアミン三酢酸の塩、ヒドロキシエチルエチレンジアミン三酢酸の塩、ニトリロ三酢酸の塩、ニトリロ三酢酸（ＮＴＡ）の塩、ジエタノールグリシンナトリウム塩、エタノールジグリシン二ナトリウム塩、ヒドロキシモノカルボン酸化合物の塩、ヒドロキシジカルボン酸化合物の塩、アミン含有カルボン酸の塩、テトラナトリウムＮ，Ｎ−ビス（カルボキシラトメチル）−Ｌ−グルタメート（ＧＬＤＡ）、ヒドロキシエチルエチレン−ジアミン三酢酸（ＨＥＤＴＡ）、メチルグリシン二酢酸（ＭＧＤＡ）、及びこれらの混合物の群から選択される少なくとも一つの封鎖剤組成物、最も好ましくはテトラナトリウムＮ，Ｎ−ビス（カルボキシラトメチル）−Ｌ−グルタメート（ＧＬＤＡ）を更に含む、項目１〜６のいずれか一項に記載の洗浄組成物。
［８］
シリケート、ケイ酸ナトリウム、二ケイ酸ナトリウム、酢酸カルシウム、塩化カルシウム、グルコン酸カルシウム、リン酸カルシウム、ホウ酸カルシウム、炭酸カルシウム、クエン酸カルシウム、乳酸カルシウム、硫酸カルシウム、酒石酸カルシウム、ベンゾトリアゾール、１，２，３−ベンゾトリアゾール、又は任意のこれらの組み合わせを含む群から選択される少なくとも一つの腐食防止剤、より好ましくは少なくとも一つのベンゾトリアゾール、最も好ましくは少なくとも一つのリン酸二水素メチル及び／又はメチル−１Ｈ−ベンゾトリアゾールを更に含む、項目１〜７のいずれか一項に記載の洗浄組成物。
［９］
−約５０質量％以上約９０質量％以下、好ましくは約６０質量％以上約８５質量％以下、より好ましくは約６５質量％以上約８０質量％以下、最も好ましくは約７０質量％以上約７５質量％以下のジエチレングリコールモノブチルエーテルと；
−約０質量％以上約５質量％以下、好ましくは約０．５質量％以上約３質量％以下、更に好ましくは約０．７５質量％以上約２．５質量％以下、より好ましくは約１質量％以上約２質量％以下、最も好ましくは約１．６質量％以上約１．８質量％以下の、少なくとも一つのＣ２〜Ｃ８有機酸、より好ましくはクエン酸と；
−約０質量％以上約５質量％以下、好ましくは約０．３５質量％以上約３．５質量％以下、より好ましくは約０．７質量％以上約２．８質量％以下、最も好ましくは約１．４質量％以上約２質量％以下の、少なくとも一つの非イオン性界面活性剤、好ましくは、３〜１５個のエチレンオキシド単位及び／又はプロピレンオキシド単位、好ましくは５〜１０個のエチレンオキシド単位及び／又はプロピレンオキシド単位を有する、Ｃ８〜Ｃ１８脂肪族アルコールアルコキシル化Ｃ２〜Ｃ６アルキルエーテル、より好ましくは１０個のＥＯ単位を有するＣ１２〜Ｃ１４脂肪族アルコールエトキシレートＣ４−アルキルエーテル、最も好ましくは約１０個のＥＯ単位を有するラウリル脂肪族アルコールエトキシブチルエーテルと；
−約０質量％以上約５質量％以下、好ましくは約０．０５質量％以上約１質量％以下、より好ましくは約０．１質量％以上約０．６質量％以下、最も好ましくは約０．２質量％以上約０．５質量％以下の、少なくとも一つの封鎖剤、より好ましくはテトラナトリウムＮ，Ｎ−ビス（カルボキシラトメチル）−Ｌ−グルタメート（ＧＬＤＡ）と；
−約０質量％以上約３質量％以下、好ましくは約０．１質量％以上約２．５質量％以下、より好ましくは約０．５質量％以上約２質量％以下、最も好ましくは約１質量％以上約１．５質量％以下の、少なくとも一つの腐食防止剤、好ましくはベンゾトリアゾール、最も好ましくは少なくとも一つのリン酸二水素メチル及び／又はメチル−１Ｈ−ベンゾトリアゾールと；
１００質量％まで加えられた水と
を含み、成分の質量％は洗浄組成物の合計質量に基づき、洗浄組成物の全ての成分の質量％は１００質量％を超えないよう選択される、
濃縮組成物の形態の、項目１〜８のいずれか一項に記載の洗浄組成物。
［１０］
前記濃縮洗浄組成物が、少なくとも一つの溶媒、好ましくは水で、１０〜１０００倍、好ましくは２０〜５００倍、更に好ましくは３０〜２００倍、より好ましくは４０〜１５０倍、最も好ましくは５０〜１００倍に希釈された希釈組成物の形態の、項目１〜９のいずれか一項に記載の洗浄組成物。
［１１］
−約１質量％以上約２質量％以下、好ましくは約１．２質量％以上約１．８質量％以下、より好ましくは約１．３質量％以上約１．６質量％以下、最も好ましくは約１．４質量％以上約１．５質量％以下のジエチレングリコールモノブチルエーテルと；
−約０質量％以上約０．１質量％以下、好ましくは約０．０１質量％以上約０．０６質量％以下、更に好ましくは約０．０１５質量％以上約０．０５質量％以下、より好ましくは約０．０２質量％以上約０．０４質量％以下、最も好ましくは約０．０３質量％以上約０．０４質量％以下の、少なくとも一つのＣ２〜Ｃ８有機酸、より好ましくはクエン酸と；
−約０質量％以上約０．１質量％以下、好ましくは約０．００７質量％以上約０．０７質量％以下、更に好ましくは約０．０１４質量％以上約０．０６質量％以下、最も好ましくは約０．０２８質量％以上約０．０４質量％以下の、少なくとも一つの非イオン性界面活性剤、好ましくは、３〜１５個のエチレンオキシド単位及び／又はプロピレンオキシド単位、好ましくは５〜１０個のエチレンオキシド単位及び／又はプロピレンオキシド単位を有する、Ｃ８〜Ｃ１８脂肪族アルコールアルコキシル化Ｃ２〜Ｃ６アルキルエーテル、より好ましくは１０個のＥＯ単位を有するＣ１２〜Ｃ１４脂肪族アルコールエトキシレートＣ４−アルキルエーテル、最も好ましくは約１０個のＥＯ単位を有するラウリル脂肪族アルコールエトキシブチルエーテルと；
−約０質量％以上約０．１質量％以下、好ましくは約０．００１質量％以上約０．０２質量％以下、更に好ましくは約０．００２質量％以上約０．０１２質量％以下、最も好ましくは約０．００４質量％以上約０．０１質量％以下の、少なくとも一つの封鎖剤、より好ましくはテトラナトリウムＮ，Ｎ−ビス（カルボキシラトメチル）−Ｌ−グルタメート（ＧＬＤＡ）と；
−約０質量％以上約０．０６質量％以下、好ましくは約０．００２質量％以上約０．０５質量％以下、より好ましくは約０．０１質量％以上約０．０４質量％以下、最も好ましくは約０．０２質量％以上約０．０３質量％以下の、少なくとも一つの腐食防止剤、好ましくはベンゾトリアゾール、最も好ましくは少なくとも一つのリン酸二水素メチル及び／又はメチル−１Ｈ−ベンゾトリアゾールと；
１００質量％まで加えられた水と
を含み、成分の質量％は洗浄組成物の合計質量に基づき、洗浄組成物の全ての成分の質量％は１００質量％を超えないよう選択される、
希釈組成物の形態の、項目１〜１０のいずれか一項に記載の洗浄組成物。
［１２］
表面からアクリルベースポリマー材料を除去する方法であって、前記表面上に位置する前記アクリルベースポリマー材料を、項目１〜１１のいずれか一項に記載の洗浄組成物と接触させることと；
前記洗浄組成物とともに前記表面から前記アクリルベースポリマー材料を除去することと
を含む、方法。
［１３］
前記アクリルベースポリマー材料が、アクリル酸、アクリル酸エステル、メタクリル酸及び／又はメタクリル酸エステル、好ましくはメタクリル酸及び／又はメタクリル酸エステル、最も好ましくは腸溶コーティングとして有用なアクリルベースポリマー材料である、項目１２に記載の方法。
［１４］
前記洗浄組成物は、約２３℃の室温以上約８０℃以下で使用され、好ましくは、前記洗浄組成物は、約５０℃以上約７５℃未満、又は好ましくは約６０℃以上約７５℃以下、最も好ましくは約７５℃の高温で使用される、項目１２又は１３に記載の方法。
［１５］
前記洗浄組成物は、約３０秒〜約２時間、又は約１分〜約１時間、好ましくは１０分〜３０分、最も好ましくは２０分間使用される、項目１２〜１４のいずれか一項に記載の方法。
【手続補正２】
【補正対象書類名】特許請求の範囲
【補正対象項目名】全文
【補正方法】変更
【補正の内容】
【特許請求の範囲】
【請求項１】
アクリルベースポリマー材料を除去するための液体洗浄組成物であって：
５０質量％以上９０質量％以下のジエチレングリコールモノブチルエーテルと；
少なくとも一つのＣ２〜Ｃ１０有機酸と；
水と；
を含む、液体洗浄組成物。
【請求項２】
ａ）前記ジエチレングリコールモノブチルエーテルと、ｂ）Ｃ２〜Ｃ８有機酸、好ましくはクエン酸との質量％比は、前記洗浄組成物の合計質量に基づいて、１５０：１〜３０：１、好ましくは１００：１〜４０：１、より好ましくは９５：１〜６０：１、更に好ましくは９０：１〜７０：１、最も好ましくは８５：１〜８０：１である、請求項１に記載の洗浄組成物。
【請求項３】
ジエチレングリコールモノブチルエーテルと、
少なくとも一つのＣ２〜Ｃ１０有機酸、好ましくはクエン酸と、
少なくとも一つの非イオン性界面活性剤、好ましくは１０個のＥＯ単位を有するＣ１２〜Ｃ１４脂肪族アルコールエトキシレートＣ４−アルキルエーテル、最も好ましくは１０個のＥＯ単位を有するラウリル脂肪族アルコールエトキシブチルエーテルと、
任意の少なくとも一つの封鎖剤、好ましくはテトラナトリウムＮ，Ｎ−ビス（カルボキシレート−メチル）−Ｌ−グルタメート（ＧＬＤＡ）と
任意の少なくとも一つの腐食防止剤、好ましくは少なくとも一つのベンゾトリアゾール、及び最も好ましくは少なくとも一つのリン酸二水素メチル及び／又はメチル−１Ｈ−ベンゾトリアゾールと；
水と
を含む、請求項１又は２に記載の洗浄組成物。
【請求項４】
Ｃ２〜Ｃ１０有機酸が、酢酸、プロピオン酸、イソプロピオン酸、ブタン酸、ペンタン酸、ヘキサン酸、ヘプタン酸、オクタン酸、ノナン酸、デカン酸、グリコール酸、クエン酸、乳酸、酒石酸、フマル酸、リンゴ酸、イタコン酸、アスコルビン酸、安息香酸、サリチル酸、及び／又はコハク酸を含む群から選択され、より好ましくはクエン酸である、請求項１〜３のいずれか一項に記載の洗浄組成物。
【請求項５】
界面活性剤、好ましくは非イオン性界面活性剤を更に含み、前記非イオン性界面活性剤は、
（ｉ）１〜８モルのエチレンオキシド単位と、８モルのプロピレンオキシド単位とを有する、Ｃ１２〜１８アルキルポリエチレングリコールポリプロピレングリコールエーテル、
（ｉｉ）１〜８モルのエチレンオキシド単位と、８モルのブチレンオキシド単位とを有する、Ｃ１２〜１８アルキルポリエチレンポリブチレングリコールエーテル、
（ｉｉｉ）末端封鎖したアルキルポリアルキレングリコール混合エーテル、
（ｉｖ）１〜４の重合度を有するＣ８〜１４アルキルポリグルコシド、
（ｖ）３〜８個のエチレンオキシド単位を有する、Ｃ１２〜１４アルキルポリエチレングリコール、
（ｖｉ）グルカミド、
（ｖｉｉ）ヒドロキシ混合エーテル、
（ｖｉｉｉ）脂肪族アルコールアルコキシレート、
（ｉｘ）より好ましくは、３〜１５個のエチレンオキシド単位及び／又はプロピレンオキシド単位、好ましくは５〜１０個のエチレンオキシド単位及び／又はプロピレンオキシド単位を有する、Ｃ８〜Ｃ１８脂肪族アルコールアルコキシレートＣ２〜Ｃ６アルキルエーテル、
（ｘ）最も好ましくは、Ｃ８〜Ｃ１８脂肪族アルコールＣ２〜Ｃ１０アルキルポリグリコシド、及びその混合物、１０個のＥＯ単位を有するラウリル脂肪族アルコールエトキシブチルエーテル
からなる群から選択される、請求項１〜４のいずれか一項に記載の洗浄組成物。
【請求項６】
グルコン酸ナトリウム、ジエチレントリアミン五酢酸（ＤＴＰＡ）のペンタナトリウム塩、グルコヘプトン酸ナトリウム、エチレンジアミン四酢酸（ＥＤＴＡ）の塩、ヒドロキシエチルエチレンジアミン三酢酸の塩、ニトリロ三酢酸（ＮＴＡ）の塩、ジエタノールグリシンナトリウム塩、エタノールジグリシン二ナトリウム塩、ヒドロキシモノカルボン酸化合物の塩、ヒドロキシジカルボン酸化合物の塩、アミン含有カルボン酸の塩、テトラナトリウムＮ，Ｎ−ビス（カルボキシラトメチル）−Ｌ−グルタメート（ＧＬＤＡ）、ヒドロキシエチルエチレン−ジアミン三酢酸（ＨＥＤＴＡ）、メチルグリシン二酢酸（ＭＧＤＡ）、及びこれらの混合物の群から選択される少なくとも一つの封鎖剤組成物、最も好ましくはテトラナトリウムＮ，Ｎ−ビス（カルボキシラトメチル）−Ｌ−グルタメート（ＧＬＤＡ）を更に含む、請求項１〜５のいずれか一項に記載の洗浄組成物。
【請求項７】
シリケート、ケイ酸ナトリウム、二ケイ酸ナトリウム、酢酸カルシウム、塩化カルシウム、グルコン酸カルシウム、リン酸カルシウム、ホウ酸カルシウム、炭酸カルシウム、クエン酸カルシウム、乳酸カルシウム、硫酸カルシウム、酒石酸カルシウム、ベンゾトリアゾール、１，２，３−ベンゾトリアゾール、又は任意のこれらの組み合わせを含む群から選択される少なくとも一つの腐食防止剤、より好ましくは少なくとも一つのベンゾトリアゾール、最も好ましくは少なくとも一つのリン酸二水素メチル及び／又はメチル−１Ｈ−ベンゾトリアゾールを更に含む、請求項１〜６のいずれか一項に記載の洗浄組成物。
【請求項８】
５０質量％以上９０質量％以下、好ましくは６０質量％以上８５質量％以下、より好ましくは６５質量％以上８０質量％以下、最も好ましくは７０質量％以上７５質量％以下のジエチレングリコールモノブチルエーテルと；
０質量％以上５質量％以下、好ましくは０．５質量％以上３質量％以下、更に好ましくは０．７５質量％以上２．５質量％以下、より好ましくは１質量％以上２質量％以下、最も好ましくは１．６質量％以上１．８質量％以下の、少なくとも一つのＣ２〜Ｃ８有機酸、より好ましくはクエン酸と；
０質量％以上５質量％以下、好ましくは０．３５質量％以上３．５質量％以下、より好ましくは０．７質量％以上２．８質量％以下、最も好ましくは１．４質量％以上２質量％以下の、少なくとも一つの非イオン性界面活性剤、好ましくは、３〜１５個のエチレンオキシド単位及び／又はプロピレンオキシド単位、好ましくは５〜１０個のエチレンオキシド単位及び／又はプロピレンオキシド単位を有する、Ｃ８〜Ｃ１８脂肪族アルコールアルコキシル化Ｃ２〜Ｃ６アルキルエーテル、より好ましくは１０個のＥＯ単位を有するＣ１２〜Ｃ１４脂肪族アルコールエトキシレートＣ４−アルキルエーテル、最も好ましくは１０個のＥＯ単位を有するラウリル脂肪族アルコールエトキシブチルエーテルと；
０質量％以上５質量％以下、好ましくは０．０５質量％以上１質量％以下、より好ましくは０．１質量％以上０．６質量％以下、最も好ましくは０．２質量％以上０．５質量％以下の、少なくとも一つの封鎖剤、より好ましくはテトラナトリウムＮ，Ｎ−ビス（カルボキシラトメチル）−Ｌ−グルタメート（ＧＬＤＡ）と；
０質量％以上３質量％以下、好ましくは０．１質量％以上２．５質量％以下、より好ましくは０．５質量％以上２質量％以下、最も好ましくは１質量％以上１．５質量％以下の、少なくとも一つの腐食防止剤、好ましくはベンゾトリアゾール、最も好ましくは少なくとも一つのリン酸二水素メチル及び／又はメチル−１Ｈ−ベンゾトリアゾールと；
１００質量％まで加えられた水と
を含み、成分の質量％は洗浄組成物の合計質量に基づき、洗浄組成物の全ての成分の質量％は１００質量％を超えないよう選択される、
濃縮組成物の形態の、請求項１〜７のいずれか一項に記載の洗浄組成物。
【請求項９】
希釈組成物の形態の、請求項１〜８のいずれか一項に記載の洗浄組成物であって、前記希釈組成物は、前記濃縮洗浄組成物を、少なくとも一つの溶媒、好ましくは水で、１０〜１０００倍、好ましくは２０〜５００倍、更に好ましくは３０〜２００倍、より好ましくは４０〜１５０倍、最も好ましくは５０〜１００倍に希釈することにより形成される、請求項１〜８のいずれか一項に記載の洗浄組成物。
【請求項１０】
１質量％以上２質量％以下、好ましくは１．２質量％以上１．８質量％以下、より好ましくは１．３質量％以上１．６質量％以下、最も好ましくは１．４質量％以上１．５質量％以下のジエチレングリコールモノブチルエーテルと；
０質量％以上０．１質量％以下、好ましくは０．０１質量％以上０．０６質量％以下、更に好ましくは０．０１５質量％以上０．０５質量％以下、より好ましくは０．０２質量％以上０．０４質量％以下、最も好ましくは０．０３質量％以上０．０４質量％以下の、少なくとも一つのＣ２〜Ｃ８有機酸、より好ましくはクエン酸と；
０質量％以上０．１質量％以下、好ましくは０．００７質量％以上０．０７質量％以下、更に好ましくは０．０１４質量％以上０．０６質量％以下、最も好ましくは０．０２８質量％以上０．０４質量％以下の、少なくとも一つの非イオン性界面活性剤、好ましくは、３〜１５個のエチレンオキシド単位及び／又はプロピレンオキシド単位、好ましくは５〜１０個のエチレンオキシド単位及び／又はプロピレンオキシド単位を有する、Ｃ８〜Ｃ１８脂肪族アルコールアルコキシル化Ｃ２〜Ｃ６アルキルエーテル、より好ましくは１０個のＥＯ単位を有するＣ１２〜Ｃ１４脂肪族アルコールエトキシレートＣ４−アルキルエーテル、最も好ましくは１０個のＥＯ単位を有するラウリル脂肪族アルコールエトキシブチルエーテルと；
０質量％以上０．１質量％以下、好ましくは０．００１質量％以上０．０２質量％以下、更に好ましくは０．００２質量％以上０．０１２質量％以下、最も好ましくは０．００４質量％以上０．０１質量％以下の、少なくとも一つの封鎖剤、より好ましくはテトラナトリウムＮ，Ｎ−ビス（カルボキシラトメチル）−Ｌ−グルタメート（ＧＬＤＡ）と；
０質量％以上０．０６質量％以下、好ましくは０．００２質量％以上０．０５質量％以下、より好ましくは０．０１質量％以上０．０４質量％以下、最も好ましくは０．０２質量％以上０．０３質量％以下の、少なくとも一つの腐食防止剤、好ましくはベンゾトリアゾール、最も好ましくは少なくとも一つのリン酸二水素メチル及び／又はメチル−１Ｈ−ベンゾトリアゾールと；
１００質量％まで加えられた水と
を含み、成分の質量％は洗浄組成物の合計質量に基づき、洗浄組成物の全ての成分の質量％は１００質量％を超えないよう選択される、
希釈組成物の形態の、請求項１〜９のいずれか一項に記載の洗浄組成物。
【請求項１１】
表面からアクリルベースポリマー材料を除去する方法であって、前記表面上に位置する前記アクリルベースポリマー材料を、請求項１〜１０のいずれか一項に記載の洗浄組成物と接触させることと；
前記洗浄組成物とともに前記表面から前記アクリルベースポリマー材料を除去することと
を含む、方法。
【請求項１２】
前記アクリルベースポリマー材料が、アクリル酸、アクリル酸エステル、メタクリル酸及び／又はメタクリル酸エステル、好ましくはメタクリル酸及び／又はメタクリル酸エステル、最も好ましくは腸溶コーティングとして有用なアクリルベースポリマー材料である、請求項１１に記載の方法。
【請求項１３】
前記洗浄組成物は、２３℃の室温以上８０℃以下で使用され、好ましくは、前記洗浄組成物は、５０℃以上７５℃未満、又は好ましくは６０℃以上７５℃以下、最も好ましくは７５℃の高温で使用される、請求項１１又は１２に記載の方法。
【請求項１４】
前記洗浄組成物は、３０秒〜２時間、又は１分〜１時間、好ましくは１０分〜３０分、最も好ましくは２０分間使用される、請求項１１〜１３のいずれか一項に記載の方法。
【国際調査報告】
2017513988.tif 000007
2017513988.tif 000008
2017513988.tif 000009